(57)【要約】【課題】適正に発光領域を広げることができる車両表示装置用指針、及び、車両表示装置を提供することを目的とする。【解決手段】車両表示装置に適用される車両表示装置用指針１は、入射した光を第１出射面３１ｅから出射する第１光透過体３１、第１出射面３１ｅから出射され入射した光を第２出射面３２ｃから出射する第２光透過体３２、及び、第１出射面３１ｅから出射され第２光透過体３２に入射する光、又は、第２出射面３２ｃから出射された光を拡散させる拡散層３３を有する指針発光体３と、第１光透過体３１を指針幅方向Ｚ１の両側から覆い第１光透過体３１から指針幅方向Ｚ１に沿って漏れる光を遮光する指針遮光体５とを備え、第２光透過体３２は、少なくとも指針幅方向Ｚ１に対して、第２出射面３２ｃによる光の出射領域Ｔ１２を第１出射面３１ｅによる光の出射領域Ｔ１１より広げて光を出射する。【選択図】図７
2017223665.tif 000002
【特許請求の範囲】
【請求項１】
光透過性材料によって指針延在方向に沿って延在して形成され、入射した光を第１出射面から前記指針延在方向と交差する指針光軸方向に沿って出射する第１光透過体、光透過性材料によって前記指針延在方向に沿って延在しかつ前記指針光軸方向に対して前記第１出射面と対向して形成され、前記第１出射面から出射され入射した光を第２出射面から前記指針光軸方向に沿って出射する第２光透過体、及び、前記第１出射面から出射され前記第２光透過体に入射する光、又は、前記第２出射面から出射された光を拡散させる拡散層を有する指針発光体と、
遮光性材料によって前記指針延在方向に沿って延在して形成され、前記第１光透過体を前記指針光軸方向及び前記指針延在方向と交差する指針幅方向の両側から覆い前記第１光透過体から前記指針幅方向に沿って漏れる光を遮光する指針遮光体とを備え、
前記第２光透過体は、少なくとも前記指針幅方向に対して、前記第２出射面による光の出射領域を前記第１出射面による光の出射領域より広げて当該第２出射面から光を出射することを特徴とする、
車両表示装置用指針。
【請求項２】
前記指針遮光体は、前記第１光透過体を前記指針幅方向の両側から覆い前記指針光軸方向に沿って延在する側壁部を有し、
前記第２光透過体は、前記側壁部における前記第１出射面による光の出射側の端面を覆う、
請求項１に記載の車両表示装置用指針。
【請求項３】
前記第２光透過体は、光の屈折効果により前記第２出射面による光の出射領域を広げる、
請求項１又は請求項２に記載の車両表示装置用指針。
【請求項４】
前記拡散層は、前記第１出射面に密着して設けられ、
前記第２光透過体は、前記第１出射面から前記拡散層を介して出射された光が入射する入射面が前記拡散層との間に隙間を有して位置し、前記第２出射面が湾曲、又は、屈曲して形成される、
請求項３に記載の車両表示装置用指針。
【請求項５】
前記指針遮光体は、前記第１光透過体を前記指針幅方向の両側から覆い当該第１光透過体を保持する側壁部、及び、回転駆動可能な回転軸と接続される回転軸接続部を有し、前記側壁部と前記回転軸接続部とが一体で形成される、
請求項１乃至請求項４のいずれか１項に記載の車両表示装置用指針。
【請求項６】
前記指針発光体を回転駆動可能な回転軸に一体回転可能に支持する接続基部を備え、
前記接続基部は、前記指針発光体の前記指針延在方向の重量バランスを調整するバランサを支持するバランサ支持部を備え、
前記バランサ支持部は、
前記指針延在方向に沿って延在し板状に形成された底部と、
前記底部から前記指針光軸方向の前面側に突出して延在しかつ前記指針延在方向に沿って延在して枠状に形成された側壁部と、を有し、
前記指針遮光体は、前記指針光軸方向の前記接続基部側の端部が、前記バランサ支持部の前記側壁部の前記指針光軸方向の前記指針遮光体側の端部に当接する、
請求項１乃至請求項４のいずれか１項に記載の車両表示装置用指針。
【請求項７】
光を照射する光源と、
回転駆動可能な回転軸を有する駆動部と、
前記光源、及び、前記駆動部を収容する筐体と、
前記回転軸に接続され回転駆動される指針とを備え、
前記指針は、
光透過性材料によって指針延在方向に沿って延在して形成され、入射した光を第１出射面から前記指針延在方向と交差する指針光軸方向に沿って出射する第１光透過体、光透過性材料によって前記指針延在方向に沿って延在しかつ前記指針光軸方向に対して前記第１出射面と対向して形成され、前記第１出射面から出射され入射した光を第２出射面から前記指針光軸方向に沿って出射する第２光透過体、及び、前記第１出射面から出射され前記第２光透過体に入射する光、又は、前記第２出射面から出射された光を拡散させる拡散層を有する指針発光体と、
遮光性材料によって前記指針延在方向に沿って延在して形成され、前記第１光透過体を前記指針光軸方向及び前記指針延在方向と交差する指針幅方向の両側から覆い前記第１光透過体から前記指針幅方向に沿って漏れる光を遮光する指針遮光体とを備え、
前記第２光透過体は、少なくとも前記指針幅方向に対して、前記第２出射面による光の出射領域を前記第１出射面による光の出射領域より広げて当該第２出射面から光を出射することを特徴とする、
車両表示装置。
【発明の詳細な説明】
【技術分野】
【０００１】
本発明は、車両表示装置用指針、及び、車両表示装置に関する。
【背景技術】
【０００２】
車両表示装置に適用される従来の車両表示装置用指針として、例えば、特許文献１には、光源からの光を受光する基部と、基部から一方向に伸長された指針部と、基部に設けられかつ受光した光を指針部の先端に向かって反射する反射部と、を有する透光性材料からなる指針部材と、透光性と拡散性との双方を有する材料で、指針部の少なくとも上面、及び、該上面の裏側の背面に連なって立ち上がった幅方向の両側面を覆うように形成された拡散カバーと、を備えた指針ユニットが開示されている。
【先行技術文献】
【特許文献】
【０００３】
【特許文献１】特許第５８１５２４９号公報
【発明の概要】
【発明が解決しようとする課題】
【０００４】
ところで、上述の特許文献１に記載の指針ユニットは、例えば、より適正な発光領域の拡大の点で更なる改善の余地がある。
【０００５】
本発明は、上記の事情に鑑みてなされたものであって、適正に発光領域を広げることができる車両表示装置用指針、及び、車両表示装置を提供することを目的とする。
【課題を解決するための手段】
【０００６】
上記目的を達成するために、本発明に係る車両表示装置用指針は、光透過性材料によって指針延在方向に沿って延在して形成され、入射した光を第１出射面から前記指針延在方向と交差する指針光軸方向に沿って出射する第１光透過体、光透過性材料によって前記指針延在方向に沿って延在しかつ前記指針光軸方向に対して前記第１出射面と対向して形成され、前記第１出射面から出射され入射した光を第２出射面から前記指針光軸方向に沿って出射する第２光透過体、及び、前記第１出射面から出射され前記第２光透過体に入射する光、又は、前記第２出射面から出射された光を拡散させる拡散層を有する指針発光体と、遮光性材料によって前記指針延在方向に沿って延在して形成され、前記第１光透過体を前記指針光軸方向及び前記指針延在方向と交差する指針幅方向の両側から覆い前記第１光透過体から前記指針幅方向に沿って漏れる光を遮光する指針遮光体とを備え、前記第２光透過体は、少なくとも前記指針幅方向に対して、前記第２出射面による光の出射領域を前記第１出射面による光の出射領域より広げて当該第２出射面から光を出射することを特徴とする。
【０００７】
また、上記車両表示装置用指針では、前記指針遮光体は、前記第１光透過体を前記指針幅方向の両側から覆い前記指針光軸方向に沿って延在する側壁部を有し、前記第２光透過体は、前記側壁部における前記第１出射面による光の出射側の端面を覆うものとすることができる。
【０００８】
また、上記車両表示装置用指針では、前記第２光透過体は、光の屈折効果により前記第２出射面による光の出射領域を広げるものとすることができる。
【０００９】
また、上記車両表示装置用指針では、前記第２光透過体は、光の拡散効果により前記第２出射面による光の出射領域を広げるものとすることができる。
【００１０】
また、上記車両表示装置用指針では、前記拡散層は、前記第１出射面に密着して設けられ、前記第２光透過体は、前記第１出射面から前記拡散層を介して出射された光が入射する入射面が前記拡散層との間に隙間を有して位置し、前記第２出射面が湾曲、又は、屈曲して形成されるものとすることができる。
【００１１】
また、上記車両表示装置用指針では、前記拡散層は、前記第２出射面に密着して設けられ、前記第１光透過体と前記第２光透過体とは、屈折率が相互に異なる光透過性材料によって構成され前記第１出射面から出射された光が入射する前記第２光透過体の入射面と前記第１出射面とが密着して設けられ、当該第１出射面と当該入射面とが湾曲して形成されるものとすることができる。
【００１２】
また、上記車両表示装置用指針では、前記拡散層は、前記第１出射面に密着して設けられ、前記第２光透過体は、前記第１出射面から前記拡散層を介して出射された光が入射する入射面が前記拡散層との間に隙間を有して位置し、前記入射面、又は、前記第２出射面が複数の微細凹凸部を有するものとすることができる。
【００１３】
また、上記車両表示装置用指針では、前記指針遮光体は、前記第１光透過体を前記指針幅方向の両側から覆い当該第１光透過体を保持する側壁部、及び、回転駆動可能な回転軸と接続される回転軸接続部を有し、前記側壁部と前記回転軸接続部とが一体で形成されるものとすることができる。
【００１４】
また、上記車両表示装置用指針では、前記指針発光体を回転駆動可能な回転軸に一体回転可能に支持する接続基部を備え、前記接続基部は、前記指針発光体の前記指針延在方向の重量バランスを調整するバランサを支持するバランサ支持部を備え、前記バランサ支持部は、前記指針延在方向に沿って延在し板状に形成された底部と、前記底部から前記指針光軸方向の前面側に突出して延在しかつ前記指針延在方向に沿って延在して枠状に形成された側壁部と、を有し、前記指針遮光体は、前記指針光軸方向の前記接続基部側の端部が、前記バランサ支持部の前記側壁部の前記指針光軸方向の前記指針遮光体側の端部に当接するものとすることができる。
【００１５】
上記目的を達成するために、本発明に係る車両表示装置は、光を照射する光源と、回転駆動可能な回転軸を有する駆動部と、前記光源、及び、前記駆動部を収容する筐体と、前記回転軸に接続され回転駆動される指針とを備え、前記指針は、光透過性材料によって指針延在方向に沿って延在して形成され、入射した光を第１出射面から前記指針延在方向と交差する指針光軸方向に沿って出射する第１光透過体、光透過性材料によって前記指針延在方向に沿って延在しかつ前記指針光軸方向に対して前記第１出射面と対向して形成され、前記第１出射面から出射され入射した光を第２出射面から前記指針光軸方向に沿って出射する第２光透過体、及び、前記第１出射面から出射され前記第２光透過体に入射する光、又は、前記第２出射面から出射された光を拡散させる拡散層を有する指針発光体と、遮光性材料によって前記指針延在方向に沿って延在して形成され、前記第１光透過体を前記指針光軸方向及び前記指針延在方向と交差する指針幅方向の両側から覆い前記第１光透過体から前記指針幅方向に沿って漏れる光を遮光する指針遮光体とを備え、前記第２光透過体は、少なくとも前記指針幅方向に対して、前記第２出射面による光の出射領域を前記第１出射面による光の出射領域より広げて当該第２出射面から光を出射することを特徴とする。
【発明の効果】
【００１６】
本発明に係る車両表示装置用指針、及び、車両表示装置は、指針発光体において、第１光透過体に入射した光が第１出射面から指針光軸方向に沿って出射され、第２光透過体に入射し第２出射面から指針光軸方向に沿って出射されることで指針発光体の全体が発光する。このとき、車両表示装置用指針、車両表示装置は、指針遮光体によって第１光透過体から指針幅方向に沿って漏れる光が遮光されることで指針光軸方向以外への発光領域を限定し指針発光体の輪郭をシャープに見せることができる。その上で、車両表示装置用指針、車両表示装置は、拡散層による光の拡散、及び、第２光透過体の第２出射面による出射領域の拡大によって指針発光体における発光領域を広げることができる。この結果、車両表示装置用指針、車両表示装置は、適正に発光領域を広げることができる、という効果を奏する。
【図面の簡単な説明】
【００１７】
【図１】図１は、実施形態１に係る車両用表示装置の概略構成を示す斜視図である。
【図２】図２は、実施形態１に係る車両表示装置の指針の概略構成を示す斜視図である。
【図３】図３は、実施形態１に係る車両表示装置の指針の概略構成を示す分解斜視図である。
【図４】図４は、実施形態１に係る車両表示装置の指針の概略構成を示す平面図である。
【図５】図５は、図４に示すＳ１１−Ｓ１１断面図である。
【図６】図６は、図４に示すＳ１２−Ｓ１２断面図である。
【図７】図７は、図６に示す囲み線Ｓ１３内の部分断面図である。
【図８】図８は、変形例に係る指針の指針光軸方向、及び、指針幅方向に沿った模式的な部分断面図である。
【図９】図９は、実施形態２に係る指針の指針光軸方向、及び、指針幅方向に沿った模式的な部分断面図である。
【図１０】図１０は、変形例に係る指針の指針光軸方向、及び、指針幅方向に沿った模式的な部分断面図である。
【図１１】図１１は、実施形態３に係る指針の指針光軸方向、及び、指針幅方向に沿った模式的な部分断面図である。
【図１２】図１２は、実施形態３に係る指針の微細凹凸部の一例を示す模式的な部分断面図である。
【図１３】図１３は、実施形態３に係る指針の微細凹凸部の他の一例を示す模式的な部分断面図である。
【図１４】図１４は、変形例に係る指針の指針光軸方向、及び、指針幅方向に沿った模式的な部分断面図である。
【図１５】図１５は、実施形態４に係る車両表示装置の指針の概略構成を示す斜視図である。
【図１６】図１６は、実施形態４に係る車両表示装置の指針の概略構成を示す分解斜視図である。
【図１７】図１７は、実施形態４に係る指針の指針延在方向、及び、指針光軸方向に沿った断面図である。
【図１８】図１８は、実施形態４に係る指針の指針光軸方向、及び、指針幅方向に沿った断面図である。
【図１９】図１９は、実施形態５に係る車両表示装置の指針の概略構成を示す斜視図である。
【図２０】図２０は、実施形態５に係る車両表示装置の指針の概略構成を示す分解斜視図である。
【図２１】図２１は、実施形態５に係る車両表示装置の指針の概略構成を示す平面図である。
【図２２】図２２は、図２１に示すＳ１４−Ｓ１４断面図である。
【図２３】図２３は、図２１に示すＳ１５−Ｓ１５断面図である。
【図２４】図２４は、指針発光体の発光例を示す平面図である。
【図２５】図２５は、図２４に示すＳ１６−Ｓ１６断面図である。
【図２６】図２６は、変形例に係る指針発光体の発光例を示す平面図である。
【図２７】図２７は、図２６に示すＳ１７−Ｓ１７断面図である。
【図２８】図２８は、変形例に係る指針発光体の発光例を示す平面図である。
【図２９】図２９は、図２８に示すＳ１８−Ｓ１８断面図である。
【図３０】図３０は、参考例に係る指針の指針延在方向、及び、指針光軸方向に沿った断面図である。
【図３１】図３１は、参考例に係る指針の指針光軸方向、及び、指針幅方向に沿った断面図である。
【図３２】図３２は、参考例に係る指針の作用を説明する模式的な部分正面図である。
【図３３】図３３は、参考例に係る指針の指針延在方向、及び、指針光軸方向に沿った断面図である。
【図３４】図３４は、参考例に係る指針の指針光軸方向、及び、指針幅方向に沿った断面図である。
【発明を実施するための形態】
【００１８】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１９】
なお、以下で説明する図５は、指針の指針延在方向、及び、指針光軸方向に沿った断面図であり、図６、図７は、指針の指針光軸方向、及び、指針幅方向に沿った断面図である。また、図５、図６、図７は、一部簡略化し模式的な断面図として図示している。
【００２０】
［実施形態１］
本実施形態に係る車両表示装置用指針としての指針１は、図１に示すように、車両に搭載される車両表示装置１００に適用される。車両表示装置１００は、いわゆる車載メータを構成するものであり、例えば、車両のダッシュボードに設けられたインストルメントパネルに搭載され、車両の運転に供される情報として当該車両に関する種々の情報を表示する。
【００２１】
なお、図１等に示す車両表示装置１００の幅方向Ｘとは、典型的には、この車両表示装置１００が適用される車両の車幅方向に相当する。以下の説明では、車両表示装置１００の幅方向Ｘにおいて、当該車両表示装置１００の前面に向かって左側（図１中左側）を幅方向Ｘ左側、向かって右側（図１中右側）を幅方向Ｘ右側という場合がある。また、車両表示装置１００の奥行き方向Ｙとは、典型的には、この車両表示装置１００が適用される車両の前後方向に相当する。また、車両表示装置１００の前面側とは、奥行き方向Ｙにおいて車両の運転席と対面する側であり、典型的には、当該運転席に座った運転者によって視認される側である。一方、車両表示装置１００の背面側とは、奥行き方向Ｙにおいて前面側とは反対側であり、典型的には、インストルメントパネルの内部に収容される側である。車両表示装置１００の高さ方向Ｚとは、典型的には、この車両表示装置１００が適用される車両の高さ方向に相当し、例えば、鉛直方向に沿った方向である。また、以下の説明で用いる各方向は、特に断りのない限り、車両表示装置１００がインストルメントパネルに組み付けられた状態での方向を表す。
【００２２】
具体的には、車両表示装置１００は、車両に関する種々の情報を表示する表示部１０１と、樹脂材料等によって構成され表示部１０１等を収容する筐体１０２とを備える。表示部１０１は、車両表示装置１００の各部を収容する筐体１０２内に配置されると共に各種情報の表示面が奥行き方向Ｙ前面側に露出する。筐体１０２は、例えば、奥行き方向Ｙ背面側に配置される背面カバー、背面カバーの奥行き方向Ｙ前面側に配置されるケース本体、ケース本体の奥行き方向Ｙ前面側に配置される見返し部材等を含んで構成され、これらによって区画される空間部内に表示部１０１が配置される。そして、筐体１０２は、見返し部材に形成される開口を介して各表示部１０１の表示面が奥行き方向Ｙ前面側に露出する。ここでは、表示部１０１は、一例として、車両に関する情報として、車速を表示する速度計１０１Ａ、走行用動力源の出力回転数を表示する回転計１０１Ｂ等を含んで構成される。速度計１０１Ａ、回転計１０１Ｂは、それぞれ文字板１０３、指針１等を含んで構成され、車両に関する種々の計測値を当該指針１によってアナログ式で表示するアナログ計器である。文字板１０３は、車両に関する情報として、例えば、速度、出力回転数等の計測値を表し指針１によって指し示される指標部やウォーニング表示用の図柄等が描かれている。文字板１０３は、例えば、透明生地のポリカーボネイト製シートであり、暗色系のインクによって、上記指標部やウォーニング表示用の図柄等に対応した形状が中抜きされた印刷が施される。表示部１０１は、光源部から照射される光が、文字板１０３において指標部やウォーニング表示用の図柄等が切り抜きされた部分を透過することで当該指標部やウォーニング表示用の図柄等が表示状態となる。指針１によって指し示される指標部は、この指針１の先端の回動軌跡に沿った円弧、当該円弧に沿って等間隔で付された複数の目盛、数字等を含んで構成される。指針１は、表示部１０１の一部を構成し、車両に関する情報を指し示す。指針１は、文字板１０３の奥行き方向Ｙ前面側に位置し、車両に関する種々の計測値（速度、出力回転数等）に応じて指標部の所定の位置を指し示す。各表示部１０１は、指針１によって現在の速度、出力回転数が指し示される。
【００２３】
以下、図２、図３、図４、図５、図６、図７の各図を参照して上記のような車両表示装置１００に適用される指針１の各構成について詳細に説明する。なお、以下で説明する指針１において、互いに交差する第１方向、第２方向、及び、第３方向のうち、第１方向を「指針延在方向Ｘ１」とし、第２方向を「指針光軸方向Ｙ１」とし、第３方向を「指針幅方向Ｚ１」とする。ここでは、指針延在方向Ｘ１と指針光軸方向Ｙ１と指針幅方向Ｚ１とは、相互に略直交する。典型的には、指針光軸方向Ｙ１は、奥行き方向Ｙに沿った方向である。以下の説明で用いる各方向は、特に断りのない限り、指針１の各部が互いに組み付けられた状態での方向を表す。また、速度計１０１Ａの指針１と回転計１０１Ｂの指針１とは、ほぼ同様の構成であるのでここでは共通の説明とする。
【００２４】
ここでまず、指針１を回転駆動させるための構成について説明する。指針１は、図５に示すように、筐体１０２（図１参照）内に配置される駆動部としてのモータ１０４によって回転駆動される。モータ１０４は、筐体１０２内に配置される配線板１０５の奥行き方向Ｙ前面側の実装面に実装される。モータ１０４は、指針１の駆動源であり、回転駆動可能である回転軸１０６を有する。回転軸１０６は、モータ１０４のロータ軸を構成するものである。また、車両表示装置１００は、モータ１０４と配線板１０５との間の実装面に実装される光源１０７を備え、回転軸１０６は、指針光軸方向Ｙ１（奥行き方向Ｙ）に対して、当該光源１０７と対向する位置に設けられ、指針光軸方向Ｙ１に沿って延在する。モータ１０４、光源１０７は、配線板１０５の実装面に実装されて筐体１０２（図１参照）内に収容される。光源１０７は、奥行き方向Ｙ（指針光軸方向Ｙ１）前面側に向けて光を照射するものである。つまりここでは、光源１０７による光の照射方向、言い換えれば、光源１０７の光軸方向は、指針光軸方向Ｙ１に沿った方向である。光源１０７は、例えば、ＬＥＤ（Ｌｉｇｈｔ  Ｅｍｉｔｔｉｎｇ  Ｄｉｏｄｅ）素子等によって構成されるがこれに限らない。そして、本実施形態の回転軸１０６は、光を透過する光透過性の樹脂材料によって形成され、奥行き方向Ｙ（指針光軸方向Ｙ１）に対して光源１０７と対向すると共にモータ１０４から奥行き方向Ｙに沿って柱状に延在するようにして奥行き方向Ｙ前面側に突設される。回転軸１０６は、文字板１０３に形成された開口１０３ａを介して光源１０７側とは反対側の端部、すなわち、奥行き方向Ｙ前面側の端部に指針１が接続される。回転軸１０６は、光源１０７から照射された光を指針１側に導く導光軸として機能する。すなわち、回転軸１０６は、光源１０７から照射された光が当該光源１０７側の端部に入射し、当該入射した光を奥行き方向Ｙ前面側の指針１側に導光し出射する。指針１は、文字板１０３の奥行き方向Ｙ前面側に位置し、回転軸１０６に接続されモータ１０４が駆動することで回転駆動されると共に光源１０７からの光によって発光する。
【００２５】
より具体的には、本実施形態の指針１は、図２、図３、図４、図５、図６、図７に示すように、接続基部としての指針ステム２と、指針発光体３と、バランサ４と、指針遮光体としての指針キャップ５とを備え、上記のように回転軸１０６を介して導光された光によって指針発光体３の全体が発光する。
【００２６】
具体的には、指針ステム２は、回転軸１０６と指針発光体３とを接続し、指針発光体３を回転軸１０６に一体回転可能に支持する接続支持部材である。指針ステム２は、基部２１、及び、円筒軸部２２を含んで構成され、これらが光を遮光する遮光性の樹脂材料によって一体に形成される。
【００２７】
基部２１は、指針延在方向Ｘ１に沿って延在する板状に形成され指針光軸方向Ｙ１の一方側の面に指針発光体３を支持する部分である。基部２１は、円筒軸部２２が接続される部分が略円形板状に形成され、当該略円形板状の部分に組み付け孔部２１ａが形成される（図６等参照）。組み付け孔部２１ａは、指針キャップ５が組み付けられる部分であり、ここでは、２つ設けられる。
【００２８】
円筒軸部２２は、回転軸１０６と指針発光体３とを接続するいわゆる袴とも呼ばれる部分である。円筒軸部２２は、内部が中空の円筒状に形成され、基部２１の略円形板状の部分から指針光軸方向Ｙ１に沿って突出して形成される。円筒軸部２２は、基部２１において指針発光体３を支持する面とは反対側に突出して形成され、内部の中空状の部分が基部２１を貫通し、指針光軸方向Ｙ１の両側に開口している（図５、図６等参照）。円筒軸部２２は、指針光軸方向Ｙ１の一方の端部開口に回転軸１０６が嵌合され、指針光軸方向Ｙ１の他方の端部開口に後述する指針発光体３の軸部３１ａが嵌合されることで、回転軸１０６と軸部３１ａとを一体回転可能に接続する。
【００２９】
指針発光体３は、回転軸１０６を介して導光された光によって発光する発光部材であり、指針本体を構成する。本実施形態の指針発光体３は、第１光透過体としての指針プリズム部材３１、第２光透過体としての光透過性キャップ３２、及び、拡散層３３を有し、これらが組み合わせられることで構成される。
【００３０】
指針プリズム部材３１は、光透過性材料によって指針延在方向Ｘ１に沿って延在して形成され、軸部３１ａに入射した光を第１出射面３１ｅから指針光軸方向Ｙ１に沿って前面側に出射するものである。指針プリズム部材３１は、軸部３１ａ、本体部３１ｂ、被支持部３１ｃ、導光中空部３１ｄ、及び、第１出射面３１ｅを含んで構成され、これらが光を透過する光透過性の樹脂材料によって一体に形成される。
【００３１】
軸部３１ａは、指針光軸方向Ｙ１に沿って柱状に形成される部分であり、上述したように、指針ステム２の円筒軸部２２を介して回転軸１０６と一体回転可能に接続される（図５、図６等参照）。軸部３１ａは、当該回転軸１０６を介して導光された光が指針光軸方向Ｙ１に沿って入射する入射部として機能する。
【００３２】
本体部３１ｂは、軸部３１ａの端部から指針延在方向Ｘ１に沿って延在して形成される部分である。本体部３１ｂは、軸部３１ａにおいて回転軸１０６と接続される側の端部と反対側の端部に設けられる。本体部３１ｂは、軸部３１ａの端部から指針延在方向Ｘ１の両側に突出するように形成される。本体部３１ｂは、指針プリズム部材３１が指針ステム２に組み付けられ支持された状態で、一方側（後述のバランサ４が配置される側とは反対側）の突出量が他方側（後述のバランサ４が配置される側）の突出量より多くなるように、軸部３１ａの端部からの突出量が設定されている（図３、図５等参照）。本体部３１ｂは、指針光軸方向Ｙ１に対して軸部３１ａ側とは反対側の面、すなわち、奥行き方向Ｙ前面側の面が第１出射面３１ｅを構成する。
【００３３】
被支持部３１ｃは、指針ステム２の基部２１上に支持される部分であり、本体部３１ｂから指針幅方向Ｚ１の両側に板状に突出して形成される（図３、図６等参照）。各被支持部３１ｃは、軸部３１ａと本体部３１ｂとの接続部分に設けられる。各被支持部３１ｃは、それぞれ組み付け孔部３１ｆが形成される（図６等参照）。組み付け孔部３１ｆは、指針キャップ５が組み付けられる部分であり、ここでは、各被支持部３１ｃに１つずつ、合計２つ設けられる。
【００３４】
導光中空部３１ｄは、軸部３１ａと本体部３１ｂとの接続部分、ここでは、当該接続部分の本体部３１ｂ側に中空状に形成される部分である（図３、図５、図６等参照）。導光中空部３１ｄは、指針幅方向Ｚ１の両側に開口を有する中空状に形成される。導光中空部３１ｄは、指針延在方向Ｘ１、及び、指針光軸方向Ｙ１に沿った断面視（図５参照）にて（言い換えれば、指針幅方向Ｚ１に視て）、略四分円形状、あるいは、略扇形状に形成される。さらに言えば、導光中空部３１ｄは、当該断面視にて、指針光軸方向Ｙ１の軸部３１ａ側が先細りの形状であり、指針光軸方向Ｙ１に沿って軸部３１ａから離間するにしたがって指針延在方向Ｘ１に沿った幅が徐々に広くなるような形状に形成される。導光中空部３１ｄは、当該導光中空部３１ｄを形成する面が軸部３１ａに入射した光を指針延在方向Ｘ１に反射し拡散させて本体部３１ｂの全体に導光する反射導光面として機能する。
【００３５】
第１出射面３１ｅは、指針プリズム部材３１において、回転軸１０６から軸部３１ａに入射し、導光中空部３１ｄによって指針延在方向Ｘ１に反射、拡散され本体部３１ｂに導光された光を指針光軸方向Ｙ１に沿って奥行き方向Ｙ前面側に出射する面である。第１出射面３１ｅは、上述したように、本体部３１ｂにおいて、指針光軸方向Ｙ１に対して軸部３１ａ側とは反対側の面、ここでは、奥行き方向Ｙ前面側の面によって構成される。第１出射面３１ｅは、本体部３１ｂの形状に合わせて指針延在方向Ｘ１に沿って延在する。本実施形態の第１出射面３１ｅは、平坦面として形成される。
【００３６】
光透過性キャップ３２は、光透過性材料によって指針延在方向Ｘ１に沿って延在しかつ指針光軸方向Ｙ１に対して第１出射面３１ｅと対向して形成され、第１出射面３１ｅから出射され入射面３２ｂに入射した光を第２出射面３２ｃから指針光軸方向Ｙ１に沿って前面側に出射するものである。光透過性キャップ３２は、本体部３２ａ、入射面３２ｂ、及び、第２出射面３２ｃを含んで構成され、これらが光を透過する光透過性の樹脂材料によって一体に形成される。
【００３７】
本体部３２ａは、指針プリズム部材３１の本体部３１ｂの形状に合わせて指針延在方向Ｘ１に沿って直線棒状に延在して形成される。本体部３２ａは、指針光軸方向Ｙ１に対して指針プリズム部材３１の第１出射面３１ｅと対向する面、すなわち、奥行き方向Ｙ背面側の面が入射面３２ｂを構成する。一方、本体部３２ａは、指針光軸方向Ｙ１に対して指針プリズム部材３１の第１出射面３１ｅと対向する面とは反対側の面、すなわち、奥行き方向Ｙ前面側の面が第２出射面３２ｃを構成し、当該第２出射面３２ｃが奥行き方向Ｙ前面側の意匠面として機能する。
【００３８】
入射面３２ｂは、光透過性キャップ３２において、指針プリズム部材３１の第１出射面３１ｅから出射された光が入射する面である。ここでは、入射面３２ｂは、指針プリズム部材３１の第１出射面３１ｅから出射され後述の拡散層３３によって拡散された光が入射する。入射面３２ｂは、上述したように、本体部３２ａにおいて、指針光軸方向Ｙ１に対して第１出射面３１ｅと対向する面、ここでは、奥行き方向Ｙ背面側の面によって構成される。入射面３２ｂは、本体部３２ａの形状に合わせて指針延在方向Ｘ１に沿って延在する。本実施形態の入射面３２ｂは、平坦面として形成される。
【００３９】
第２出射面３２ｃは、光透過性キャップ３２において、入射面３２ｂに入射した光を指針光軸方向Ｙ１に沿って奥行き方向Ｙ前面側に出射する面である。第２出射面３２ｃは、上述したように、本体部３２ａにおいて、指針光軸方向Ｙ１に対して指針プリズム部材３１の第１出射面３１ｅと対向する面とは反対側の面、ここでは、奥行き方向Ｙ前面側の面によって構成される。第２出射面３２ｃは、本体部３２ａの形状に合わせて指針延在方向Ｘ１に沿って延在する。
【００４０】
また、本実施形態の光透過性キャップ３２は、本体部３２ａの入射面３２ｂ側の縁部に突出縁部３２ｄを有する（図７参照）。突出縁部３２ｄは、本体部３２ａの入射面３２ｂ側の各縁部から指針光軸方向Ｙ１に沿って指針プリズム部材３１側に突出して形成される。そして、本実施形態の光透過性キャップ３２は、当該突出縁部３２ｄが後述する指針キャップ５の側壁部５ｄの端面に密着しマウントされるようにして設けられる。光透過性キャップ３２は、例えば、二色成形により後述する指針キャップ５と一体で形成される。ここでは、光透過性キャップ３２は、指針光軸方向Ｙ１に対して入射面３２ｂが第１出射面３１ｅとの間に隙間３２ｅを有して位置するように、突出縁部３２ｄが後述する指針キャップ５の側壁部５ｄの端面に密着して設けられる（図７参照）。
【００４１】
そして、光透過性キャップ３２は、第２出射面３２ｃが光を屈折させて発散させるレンズを構成するように湾曲して曲面状に形成される（図７参照）。ここでは、第２出射面３２ｃは、指針光軸方向Ｙ１、及び、指針幅方向Ｚ１に沿った断面視（図７参照）にて（言い換えれば、指針延在方向Ｘ１に視て）、指針光軸方向Ｙ１に対して入射面３２ｂとは反対側、すなわち、出射側に突出した凸部状の略半円弧状に形成される。
【００４２】
拡散層３３は、光を拡散させる層である。本実施形態の拡散層３３は、指針プリズム部材３１の第１出射面３１ｅに密着して設けられ、指針プリズム部材３１の第１出射面３１ｅから出射され光透過性キャップ３２の入射面３２ｂに入射する光を拡散させる。より詳細には、拡散層３３は、第１出射面３１ｅの入射面３２ｂ側の面、さらに言えば、隙間３２ｅ側の面に密着して設けられる。拡散層３３は、例えば、ホットスタンプ印刷、塗料の複数回の塗布、フィルム転写法等によって透光性着色層として構成され当該透光性着色層に着色された色によって指針発光体３の発光色（表示色）を自由に設定することができる。ここでは、拡散層３３は、白色の透光性着色層として構成される。
【００４３】
バランサ４は、指針ステム２に支持される指針発光体３との重量バランスを調整する部分である。バランサ４は、指針ステム２の基部２１において指針発光体３を支持する面の指針延在方向Ｘ１の一方の端部に設けられる（図３、図５等参照）。バランサ４は、指針発光体３を構成する指針プリズム部材３１と指針ステム２との間に介在する。より詳細には、指針プリズム部材３１の本体部３１ｂの突出量が少ない側の端部と指針ステム２の基部２１との間に介在する。
【００４４】
指針キャップ５は、指針発光体３に装着され一部の光を遮光する遮光部材である。指針キャップ５は、遮光性材料によって指針延在方向Ｘ１に沿って延在して形成され、指針プリズム部材３１を指針幅方向Ｚ１の両側から覆い指針プリズム部材３１から指針幅方向Ｚ１に沿って漏れる光を遮光する。指針キャップ５は、軸部カバー部５ａ、及び、スリット部５ｂを含んで構成され、これらが光を遮光する遮光性の樹脂材料によって一体に形成される。
【００４５】
軸部カバー部５ａは、ドーム状に形成され、指針プリズム部材３１の第１出射面３１ｅ側から装着され、ここでは当該指針プリズム部材３１の軸部３１ａ、被支持部３１ｃ等を含む部分を覆う。また、軸部カバー部５ａは、ドーム状の内部に柱状の装着軸部５ｃが形成される（図６参照）。ここでは、装着軸部５ｃは、２つ設けられる。
【００４６】
スリット部５ｂは、側壁部５ｄを有し、当該側壁部５ｄによって指針プリズム部材３１の本体部３１ｂを収容する中空状部５ｅが形成された部分である。側壁部５ｄは、軸部カバー部５ａから指針光軸方向Ｙ１の前面側に突出して延在しかつ指針延在方向Ｘ１に沿って延在して枠状に形成され、上記中空状部５ｅを区画する。言い換えれば、側壁部５ｄは、中空状部５ｅを囲うようにして指針光軸方向Ｙ１に沿って立設される壁体である。中空状部５ｅは、軸部カバー部５ａの内部と連通するようにして形成され、指針光軸方向Ｙ１の前面側に開口する。スリット部５ｂは、軸部カバー部５ａが指針プリズム部材３１に装着された状態で、上記中空状部５ｅ内に指針プリズム部材３１における本体部３１ｂが収容され、上記開口から当該本体部３１ｂの第１出射面３１ｅ、及び、拡散層３３を指針光軸方向Ｙ１前面側に露出させる。スリット部５ｂは、中空状部５ｅ内に本体部３１ｂが収容された状態で、側壁部５ｄが少なくとも指針プリズム部材３１の本体部３１ｂを指針幅方向Ｚ１の両側から挟み込んで覆い、指針プリズム部材３１の本体部３１ｂから指針幅方向Ｚ１に沿って漏れる光、言い換えれば、第１出射面３１ｅ以外から出射される光を遮光する。
【００４７】
ここで、指針キャップ５と光透過性キャップ３２とは、上述したように二色成形等により一体で形成され、側壁部５ｄにおける第１出射面３１ｅによる光の出射側の端面、すなわち、側壁部５ｄにおける指針光軸方向Ｙ１の前面側の端面に光透過性キャップ３２の突出縁部３２ｄが密着しマウントされるようにして設けられる。これにより、光透過性キャップ３２は、側壁部５ｄにおける第１出射面３１ｅによる光の出射側の端面、すなわち、側壁部５ｄにおける指針光軸方向Ｙ１の前面側の端面を覆う位置関係で設けられる。
【００４８】
上記のように構成される指針１は、光透過性キャップ３２が一体成形された指針キャップ５における装着軸部５ｃが被支持部３１ｃの組み付け孔部３１ｆを本体部３１ｂ側から貫通すると共に当該本体部３１ｂが側壁部５ｄの間に嵌り第１出射面３１ｅ、拡散層３３がスリット部５ｂの中空状部５ｅの開口から露出するような位置関係で、指針キャップ５が指針プリズム部材３１に装着される。指針１は、指針キャップ５が指針プリズム部材３１に装着された状態で、指針プリズム部材３１と指針ステム２の基部２１との間にバランサ４を介在させると共に軸部カバー部５ａの装着軸部５ｃが指針ステム２の基部２１の組み付け孔部２１ａに組み付けられることで、指針ステム２と指針プリズム部材３１とバランサ４と指針キャップ５とが一体化される。指針１は、指針ステム２と指針プリズム部材３１とバランサ４と指針キャップ５とが一体化された状態で、指針プリズム部材３１が指針ステム２の基部２１上に支持され、指針プリズム部材３１の軸部３１ａが指針ステム２の円筒軸部２２に嵌合し回転軸１０６と一体回転可能に接続される。
【００４９】
そして、指針１は、光源１０７から回転軸１０６を介して指針プリズム部材３１の軸部３１ａに入射した光が導光中空部３１ｄによって指針延在方向Ｘ１に反射、拡散され指針延在方向Ｘ１に沿って本体部３１ｂの全体に導光され第１出射面３１ｅから指針光軸方向Ｙ１に沿って奥行き方向Ｙ前面側に出射される。指針１は、第１出射面３１ｅから出射された光が拡散層３３によって拡散され、当該拡散層３３によって拡散された光が隙間３２ｅを通過して光透過性キャップ３２の入射面３２ｂに入射する。そして、指針１は、光透過性キャップ３２の入射面３２ｂに入射した光が第２出射面３２ｃから指針光軸方向Ｙ１に沿って奥行き方向Ｙ前面側に出射され、この結果、指針発光体３の全体が発光する。
【００５０】
このとき、光透過性キャップ３２は、図７に示すように、少なくとも指針幅方向Ｚ１に対して、第２出射面３２ｃによる光の出射領域Ｔ１２を第１出射面３１ｅによる光の出射領域Ｔ１１より広げて当該第２出射面３２ｃから光を出射する（図７参照）。本実施形態の光透過性キャップ３２は、光の屈折効果により第２出射面３２ｃによる光の出射領域を広げる。ここでは、光透過性キャップ３２は、上述したように、入射面３２ｂが拡散層３３との間に空気層を構成する隙間３２ｅを有して位置し、第２出射面３２ｃが湾曲して形成されることで入射面３２ｂ、第２出射面３２ｃが屈折面を構成する。これにより、光透過性キャップ３２は、光を屈折させて発散させるレンズを構成し、当該レンズの光の屈折効果により第２出射面３２ｃによる光の出射領域Ｔ１２を第１出射面３１ｅによる光の出射領域Ｔ１１より広げる。
【００５１】
一方、指針１は、指針キャップ５の軸部カバー部５ａが指針ステム２の基部２１との間に指針プリズム部材３１の被支持部３１ｃを挟み込むようにして覆うことで回転軸１０６を介して導光された光のうちの漏れ光が遮光される。また、指針１は、指針キャップ５の側壁部５ｄが指針プリズム部材３１の本体部３１ｂを指針幅方向Ｚ１の両側から挟み込んで覆うことで本体部３１ｂから指針幅方向Ｚ１に沿って漏れる光が遮光される。
【００５２】
以上で説明した指針１によれば、光透過性材料によって指針延在方向Ｘ１に沿って延在して形成され、入射した光を第１出射面３１ｅから指針延在方向Ｘ１と交差する指針光軸方向Ｙ１に沿って出射する指針プリズム部材３１、光透過性材料によって指針延在方向Ｘ１に沿って延在しかつ指針光軸方向Ｙ１に対して第１出射面３１ｅと対向して形成され、第１出射面３１ｅから出射され入射した光を第２出射面３２ｃから指針光軸方向Ｙ１に沿って出射する光透過性キャップ３２、及び、第１出射面３１ｅから出射され光透過性キャップ３２に入射する光を拡散させる拡散層３３を有する指針発光体３と、遮光性材料によって指針延在方向Ｘ１に沿って延在して形成され、指針プリズム部材３１を指針光軸方向Ｙ１及び指針延在方向Ｘ１と交差する指針幅方向Ｚ１の両側から覆い指針プリズム部材３１から指針幅方向Ｚ１に沿って漏れる光を遮光する指針キャップ５とを備え、光透過性キャップ３２は、少なくとも指針幅方向Ｚ１に対して、第２出射面３２ｃによる光の出射領域Ｔ１２を第１出射面３１ｅによる光の出射領域Ｔ１１より広げて当該第２出射面３２ｃから光を出射する。以上で説明した車両表示装置１００によれば、光を照射する光源１０７と、回転駆動可能な回転軸１０６を有するモータ１０４と、光源１０７、及び、モータ１０４を収容する筐体１０２と、回転軸１０６に接続され回転駆動される上記指針１とを備える。
【００５３】
したがって、指針１、車両表示装置１００は、指針発光体３において、指針プリズム部材３１に入射した光が第１出射面３１ｅから指針光軸方向Ｙ１に沿って出射され、光透過性キャップ３２に入射し第２出射面３２ｃから指針光軸方向Ｙ１に沿って出射されることで指針発光体３の全体が発光する。このとき、指針１、車両表示装置１００は、指針キャップ５の側壁部５ｄ等によって指針プリズム部材３１から指針幅方向Ｚ１に沿って漏れる光が遮光されることで指針光軸方向Ｙ１前面側、すなわち、運転者等によって視認される側への発光領域以外の発光領域を限定し指針発光体３の輪郭をシャープに見せることができる。また、指針１、車両表示装置１００は、光源１０７からの光を効率的に運転者等によって視認される側へ出射することができ、ロスを抑制することができ、輝度の低下を抑制することができる。その上で、指針１、車両表示装置１００は、拡散層３３による光の拡散、及び、光透過性キャップ３２の第２出射面３２ｃによる出射領域Ｔ１２の拡大によって指針発光体３における発光領域を広げることができる。この結果、指針１、車両表示装置１００は、例えば、指針１からの漏れ光の文字板１０３への映り込み等を抑制しつつ、適正に指針１の発光領域を広げることができ、視認性を向上することができる。
【００５４】
さらに、以上で説明した指針１、車両表示装置１００によれば、指針キャップ５は、指針プリズム部材３１を指針幅方向Ｚ１の両側から覆い指針光軸方向Ｙ１に沿って延在する側壁部５ｄを有し、光透過性キャップ３２は、側壁部５ｄにおける第１出射面３１ｅによる光の出射側の端面を覆う。したがって、指針１、車両表示装置１００は、指針キャップ５の側壁部５ｄを覆うように光透過性キャップ３２が設けられ、第２出射面３２ｃによる光の出射領域Ｔ１２を、当該側壁部５ｄを超えて広げることができるので、より適正に指針発光体３の全体を発光させることができ、例えば、光透過性キャップ３２の第２出射面３２ｃが構成する光学系の曲率（レンズ傾斜面角度）等の調整によっては指針キャップ５の側壁部５ｄの端面を目立たなくし視認し難くすることができる。
【００５５】
さらに、以上で説明した指針１、車両表示装置１００によれば、光透過性キャップ３２は、光の屈折効果により第２出射面３２ｃによる光の出射領域Ｔ１２を広げる。したがって、指針１、車両表示装置１００は、光透過性キャップ３２が構成する光学系によって当該光透過性キャップ３２に入射し第２出射面３２ｃから出射される光を屈折させて発散させることで第２出射面３２ｃによる光の出射領域Ｔ１２を第１出射面３１ｅによる光の出射領域Ｔ１１より広げることができる。
【００５６】
さらに、以上で説明した指針１、車両表示装置１００によれば、拡散層３３は、第１出射面３１ｅに密着して設けられ、光透過性キャップ３２は、第１出射面３１ｅから拡散層３３を介して出射された光が入射する入射面３２ｂが拡散層３３との間に隙間３２ｅを有して位置し、第２出射面３２ｃが湾曲して形成される。したがって、指針１、車両表示装置１００は、光透過性キャップ３２の入射面３２ｂ、第２出射面３２ｃが屈折面を構成し当該光透過性キャップ３２が光を屈折させて発散させるレンズとして構成されるので、当該レンズの光の屈折効果により第２出射面３２ｃによる光の出射領域Ｔ１２を第１出射面３１ｅによる光の出射領域Ｔ１１より広げることができる。
【００５７】
なお、以上の説明では、指針キャップ５と光透過性キャップ３２とは、二色成形等により一体で形成されるものとして説明したがこれに限らず、例えば、相互に別個に形成した上で溶着等によって一体化されてもよい。また、指針１は、光透過性キャップ３２が着色された光透過性材料によって構成されることで、当該光透過性材料の色に応じて指針発光体３の発光色（表示色）を自由に設定することもできる。また、指針１は、光透過性キャップ３２が暗色系の光透過性材料、例えば、いわゆるスモーク材によって構成されることで、非点灯時に文字板１０３等と同化し視認され難い状態をつくることができ、これにより、例えば、指針１を点灯した際に突然、当該指針１が立ち現れるような斬新な演出効果を施すこともできる。
【００５８】
また、以上で説明した光透過性キャップ３２は、第２出射面３２ｃが光を屈折させて発散させるレンズを構成するように湾曲して曲面状に形成されるものとして説明したがこれに限らない。図８に示す変形例に係る車両表示装置用指針としての指針１Ａのように、第２出射面３２ｃＡは、光を屈折させて発散させるレンズを構成するように屈曲して多角形状に形成されてもよい。ここでは、第２出射面３２ｃＡは、指針光軸方向Ｙ１、及び、指針幅方向Ｚ１に沿った断面視（図８参照）にて（言い換えれば、指針延在方向Ｘ１に視て）、指針光軸方向Ｙ１に対して入射面３２ｂとは反対側、すなわち、出射側に突出し、指針光軸方向Ｙ１に対して傾斜した複数の傾斜面等によって略台形状に形成される。この場合であっても、指針１Ａ、車両表示装置１００は、光透過性キャップ３２の入射面３２ｂ、第２出射面３２ｃＡが屈折面を構成し当該光透過性キャップ３２が光を屈折させて発散させるレンズとして構成されるので、当該レンズの光の屈折効果により第２出射面３２ｃＡによる光の出射領域Ｔ１２を第１出射面３１ｅによる光の出射領域Ｔ１１より広げることができる。また、光透過性キャップ３２は、指針幅方向Ｚ１に対して各突出縁部３２ｄが各側壁部５ｄよりも幅広となり、当該各突出縁部３２ｄが各側壁部５ｄにおける指針幅方向Ｚ１の外側端面よりもさらに外側に突出するようにして形成されてもよく、これにより、指針キャップ５の側壁部５ｄの端面をさらに目立たなくし視認し難くすることができる。
【００５９】
［実施形態２］
実施形態２に係る車両表示装置用指針、及び、車両表示装置は、指針発光体の構成が実施形態１とは異なる。以下では、上述した実施形態と同様の構成要素には共通の符号が付されるとともに、共通する構成、作用、効果については、重複した説明はできるだけ省略する（以下、同様。）。
【００６０】
図９に示す本実施形態に係る車両表示装置用指針としての指針２０１は、指針発光体３にかえて指針発光体２０３を備える点で上述の指針１と異なり、その他の構成は、当該指針１とほぼ同様の構成である。
【００６１】
指針発光体２０３は、第１光透過体としての指針プリズム部材２３１、第２光透過体としての光透過性キャップ２３２、及び、拡散層２３３を有し、これらが組み合わせられることで構成される。
【００６２】
指針プリズム部材２３１は、第１出射面３１ｅにかえて第１出射面２３１ｅを含んで構成される点で上述の指針プリズム部材３１と異なり、その他の構成は、当該指針プリズム部材３１とほぼ同様の構成である。第１出射面２３１ｅは、本体部３１ｂにおいて、指針光軸方向Ｙ１に対して軸部３１ａ（図５等参照）側とは反対側の面、ここでは、奥行き方向Ｙ前面側の面によって構成される。本実施形態の第１出射面２３１ｅは、後述する入射面２３２ｂと共に光を屈折させて発散させるレンズを構成するように湾曲して曲面状に形成される。ここでは、第１出射面２３１ｅは、指針光軸方向Ｙ１、及び、指針幅方向Ｚ１に沿った断面視（図９参照）にて（言い換えれば、指針延在方向Ｘ１に視て）、指針光軸方向Ｙ１に対して後述する入射面２３２ｂとは反対側、すなわち、軸部３１ａ側に陥没した凹部状の略半円弧状に形成される。
【００６３】
光透過性キャップ２３２は、入射面３２ｂにかえて入射面２３２ｂを、第２出射面３２ｃにかえて第２出射面２３２ｃを含んで構成される点で上述の光透過性キャップ３２と異なり、その他の構成は、当該光透過性キャップ３２とほぼ同様の構成である。入射面２３２ｂは、本体部３２ａにおいて、指針光軸方向Ｙ１に対して第１出射面２３１ｅと対向する面、ここでは、奥行き方向Ｙ背面側の面によって構成される。本実施形態の入射面２３２ｂは、上述した第１出射面２３１ｅと共に光を屈折させて発散させるレンズを構成するように湾曲して曲面状に形成される。ここでは、入射面２３２ｂは、指針光軸方向Ｙ１、及び、指針幅方向Ｚ１に沿った断面視（図９参照）にて（言い換えれば、指針延在方向Ｘ１に視て）、指針光軸方向Ｙ１に対して第２出射面２３２ｃとは反対側、すなわち、第１出射面２３１ｅ側に突出した凸部状の略半円弧状に形成される。第２出射面２３２ｃは、本体部３２ａにおいて、指針光軸方向Ｙ１に対して指針プリズム部材２３１の第１出射面２３１ｅと対向する面とは反対側の面、ここでは、奥行き方向Ｙ前面側の面によって構成される。本実施形態の第２出射面２３２ｃは、平坦面として形成される。
【００６４】
拡散層２３３は、上述した拡散層３３と同様に、光を拡散させる層である。本実施形態の拡散層２３３は、光透過性キャップ２３２の第２出射面２３２ｃに密着して設けられ、当該第２出射面２３２ｃから出射された光を拡散させる。より詳細には、拡散層２３３は、第２出射面２３２ｃの指針光軸方向Ｙ１前方側の面に密着して設けられる。拡散層２３３は、上述した拡散層３３と同様に、例えば、ホットスタンプ印刷、塗料の複数回の塗布、フィルム転写法等によって透光性着色層として構成され当該透光性着色層に着色された色によって指針発光体２０３の発光色（表示色）を自由に設定することができる。ここでは、拡散層２３３は、白色の透光性着色層として構成される。
【００６５】
そして、指針プリズム部材２３１と光透過性キャップ２３２とは、屈折率が相互に異なる光透過性材料によって構成される。指針プリズム部材２３１と光透過性キャップ２３２とは、入射面２３２ｂと第１出射面２３１ｅとが密着して設けられ当該第１出射面２３１ｅと当該入射面２３２ｂとが湾曲して形成される。指針プリズム部材２３１と光透過性キャップ２３２とは、例えば、屈折率が相互に異なる光透過性材料によって入射面２３２ｂと第１出射面２３１ｅとが密着した状態となるように二色成形により一体で形成される。
【００６６】
本実施形態の指針プリズム部材２３１と光透過性キャップ２３２とは、指針プリズム部材２３１の屈折率が相対的に大きく、光透過性キャップ２３２の屈折率が相対的に小さくなるような組み合わせで、屈折率が相互に異なる光透過性材料によって二色成形により一体で形成される。そして、指針プリズム部材２３１と光透過性キャップ２３２とは、入射面２３２ｂと第１出射面２３１ｅとが密着することで界面２３４を構成する。本実施形態の界面２３４は、光を屈折させて発散させるレンズを構成するように、第１出射面２３１ｅ、及び、入射面２３２ｂの湾曲に応じて曲面状に形成される。ここでは、界面２３４は、指針光軸方向Ｙ１、及び、指針幅方向Ｚ１に沿った断面視（図９参照）にて（言い換えれば、指針延在方向Ｘ１に視て）、光透過性キャップ２３２から視て、指針光軸方向Ｙ１に対して第２出射面２３２ｃとは反対側、すなわち、第１出射面２３１ｅ側に突出した凸部状の略半円弧状に形成される。言い換えれば、界面２３４は、当該断面視にて、指針プリズム部材２３１から視て、指針光軸方向Ｙ１に対して入射面２３２ｂとは反対側、すなわち、軸部３１ａ側に陥没した凹部状の略半円弧状に形成される。つまり、界面２３４は、指針光軸方向Ｙ１に対して指針光軸方向Ｙ１の背面側に向けて突出した略半円弧状に形成される。
【００６７】
上記のように構成される指針２０１は、光透過性キャップ２３２が少なくとも指針幅方向Ｚ１に対して、第２出射面２３２ｃによる光の出射領域Ｔ２２を第１出射面２３１ｅによる光の出射領域Ｔ２１より広げて当該第２出射面２３２ｃから光を出射する。本実施形態の光透過性キャップ２３２は、光の屈折効果により第２出射面２３２ｃによる光の出射領域を広げる。ここでは、指針プリズム部材２３１と光透過性キャップ２３２とは、上述したように、屈折率が相互に異なる光透過性材料によって構成され入射面２３２ｂと第１出射面２３１ｅとが密着して設けられ、入射面２３２ｂと第１出射面２３１ｅとが湾曲して形成されることで、入射面２３２ｂと第１出射面２３１ｅとの界面２３４が屈折面を構成する。これにより、指針プリズム部材２３１と光透過性キャップ２３２とは、光を屈折させて発散させるレンズを構成し、当該レンズの光の屈折効果により第２出射面２３２ｃによる光の出射領域Ｔ２２を第１出射面２３１ｅによる光の出射領域Ｔ２１より広げる。
【００６８】
以上で説明した指針２０１、車両表示装置１００は、指針発光体２０３において、指針プリズム部材２３１に入射した光が第１出射面２３１ｅから指針光軸方向Ｙ１に沿って出射され、光透過性キャップ２３２に入射し第２出射面２３２ｃから指針光軸方向Ｙ１に沿って出射されることで指針発光体２０３の全体が発光する。このとき、指針２０１、車両表示装置１００は、指針キャップ５の側壁部５ｄ等によって指針プリズム部材２３１から指針幅方向Ｚ１に沿って漏れる光が遮光されることで指針光軸方向Ｙ１前面側への発光領域以外の発光領域を限定し指針発光体２０３の輪郭をシャープに見せることができる。その上で、指針２０１、車両表示装置１００は、拡散層２３３による光の拡散、及び、光透過性キャップ２３２の第２出射面２３２ｃによる出射領域Ｔ２２の拡大によって指針発光体２０３における発光領域を広げることができる。この結果、指針２０１、車両表示装置１００は、適正に指針２０１の発光領域を広げることができる。
【００６９】
さらに、以上で説明した指針２０１、車両表示装置１００によれば、拡散層２３３は、第２出射面２３２ｃに密着して設けられ、指針プリズム部材２３１と光透過性キャップ２３２とは、屈折率が相互に異なる光透過性材料によって構成され第１出射面２３１ｅから出射された光が入射する光透過性キャップ２３２の入射面２３２ｂと第１出射面２３１ｅとが密着して設けられ、当該第１出射面２３１ｅと当該入射面２３２ｂとが湾曲して形成される。したがって、指針２０１、車両表示装置１００は、指針プリズム部材２３１の第１出射面２３１ｅと光透過性キャップ２３２の入射面２３２ｂとの界面２３４が屈折面を構成し当該指針プリズム部材２３１、光透過性キャップ２３２が光を屈折させて発散させるレンズとして構成されるので、当該レンズの光の屈折効果により第２出射面２３２ｃによる光の出射領域Ｔ２２を第１出射面２３１ｅによる光の出射領域Ｔ２１より広げることができる。またこの場合、指針２０１、車両表示装置１００は、奥行き方向Ｙ前面側の意匠面として機能する光透過性キャップ２３２の第２出射面２３２ｃを平坦面として形成することができる。
【００７０】
なお、以上の説明では、指針プリズム部材２３１と光透過性キャップ２３２とは、入射面２３２ｂと第１出射面２３１ｅとが密着して界面２３４を構成するように二色成形等により一体で形成されるものとして説明したがこれに限らず、例えば、相互に別個に形成した上で溶着等によって一体化されてもよい。
【００７１】
また、以上で説明した界面２３４は、光を屈折させて発散させるレンズを構成するように、第１出射面２３１ｅ、及び、入射面２３２ｂの湾曲に応じて曲面状に形成されるものとして説明したがこれに限らない。界面２３４は、光を屈折させて発散させるレンズを構成するように屈曲して多角形状に形成されてもよい。この場合、界面２３４は、指針光軸方向Ｙ１、及び、指針幅方向Ｚ１に沿った断面視にて（言い換えれば、指針延在方向Ｘ１に視て）、指針光軸方向Ｙ１に対して指針光軸方向Ｙ１の背面側に向けて突出し、指針光軸方向Ｙ１に対して傾斜した複数の傾斜面によって略台形状に形成されてもよい。
【００７２】
また、界面２３４の湾曲方向は、以上で説明したものに限らない。図１０に示す変形例に係る車両表示装置用指針としての指針２０１Ａは、第１光透過体としての指針プリズム部材２３１Ａと第２光透過体としての光透過性キャップ２３２Ａとの屈折率の大小関係が上述とは逆となっている。すなわち、指針プリズム部材２３１Ａと光透過性キャップ２３２Ａとは、光透過性キャップ２３２Ａの屈折率が相対的に大きく、指針プリズム部材２３１Ａの屈折率が相対的に小さくなるような組み合わせで、屈折率が相互に異なる光透過性材料によって二色成形により一体で形成される。
【００７３】
そして、指針プリズム部材２３１Ａと光透過性キャップ２３２Ａとは、光透過性キャップ２３２Ａの入射面２３２ｂＡと指針プリズム部材２３１Ａの第１出射面２３１ｅＡとが密着することで界面２３４Ａを構成する。第１出射面２３１ｅＡは、指針光軸方向Ｙ１、及び、指針幅方向Ｚ１に沿った断面視（図１０参照）にて（言い換えれば、指針延在方向Ｘ１に視て）、指針光軸方向Ｙ１に対して入射面２３２ｂＡ側に突出した凸部状の略半円弧状に形成される。入射面２３２ｂＡは、当該断面視にて、指針光軸方向Ｙ１に対して第２出射面２３２ｃ側に陥没した凹部状の略半円弧状に形成される。そして、界面２３４Ａは、光を屈折させて発散させるレンズを構成するように、第１出射面２３１ｅＡ、及び、入射面２３２ｂＡの湾曲に応じて曲面状に形成される。界面２３４Ａは、指針光軸方向Ｙ１、及び、指針幅方向Ｚ１に沿った断面視にて（言い換えれば、指針延在方向Ｘ１に視て）、指針プリズム部材２３１Ａから視て、指針光軸方向Ｙ１に対して第２出射面２３２ｃ側に突出した凸部状の略半円弧状に形成される。言い換えれば、界面２３４Ａは、当該断面視にて、光透過性キャップ２３２Ａから視て、指針光軸方向Ｙ１に対して第２出射面２３２ｃ側に陥没した凹部状の略半円弧状に形成される。つまり、界面２３４Ａは、指針光軸方向Ｙ１に対して指針光軸方向Ｙ１の前面側に向けて突出した略半円弧状に形成される。
【００７４】
この場合であっても、指針２０１Ａは、指針プリズム部材２３１Ａの第１出射面２３１ｅＡと光透過性キャップ２３２Ａの入射面２３２ｂＡとの界面２３４Ａが屈折面を構成し当該指針プリズム部材２３１Ａ、光透過性キャップ２３２Ａが光を屈折させて発散させるレンズとして構成されるので、当該レンズの光の屈折効果により第２出射面２３２ｃによる光の出射領域Ｔ２２を第１出射面２３１ｅＡによる光の出射領域Ｔ２１より広げることができる。
【００７５】
［実施形態３］
実施形態３に係る車両表示装置用指針、及び、車両表示装置は、指針発光体の構成が実施形態１、２とは異なる。
【００７６】
図１１に示す本実施形態に係る車両表示装置用指針としての指針３０１は、指針発光体３にかえて指針発光体３０３を備える点で上述の指針１と異なり、その他の構成は、当該指針１とほぼ同様の構成である。
【００７７】
指針発光体３０３は、第１光透過体としての指針プリズム部材３１、第２光透過体としての光透過性キャップ３３２、及び、拡散層３３を有し、これらが組み合わせられることで構成される。指針プリズム部材３１、拡散層３３は、上述と同様の構成である。
【００７８】
光透過性キャップ３３２は、第２出射面３２ｃにかえて第２出射面３３２ｃを含んで構成される点で上述の光透過性キャップ３２と異なり、その他の構成は、当該光透過性キャップ３２とほぼ同様の構成である。第２出射面３３２ｃは、本体部３２ａにおいて、指針光軸方向Ｙ１に対して指針プリズム部材３１の第１出射面３１ｅと対向する面とは反対側の面、ここでは、奥行き方向Ｙ前面側の面によって構成される。
【００７９】
そして、本実施形態の光透過性キャップ３３２は、光の拡散効果により第２出射面３３２ｃによる光の出射領域を広げる。ここでは、光透過性キャップ３３２は、第２出射面３３２ｃが複数の微細凹凸部３３２ｆを有する。複数の微細凹凸部３３２ｆは、微細プリズム、あるいは、微細シボ形状に形成され、第２出射面３３２ｃから出射する光を拡散させる。複数の微細凹凸部３３２ｆは、凸状部分の断面形状が図１２に示すように略三角形状の断面形状であってもよいし、図１３に示すように略半円形状の断面形状であってもよい。複数の微細凹凸部３３２ｆは、指針延在方向Ｘ１、及び、指針幅方向Ｚ１に沿って連続して形成される。これにより、光透過性キャップ３３２は、当該複数の微細凹凸部３３２ｆが形成された第２出射面３３２ｃが拡散層３３とは異なる第２拡散面を構成し、当該第２拡散面を構成する第２出射面３３２ｃの光の拡散効果により第２出射面３３２ｃによる光の出射領域Ｔ３２を第１出射面３１ｅによる光の出射領域Ｔ３１より広げる。
【００８０】
以上で説明した指針３０１、車両表示装置１００は、指針発光体３０３において、指針プリズム部材３１に入射した光が第１出射面３１ｅから指針光軸方向Ｙ１に沿って出射され、光透過性キャップ３３２に入射し第２出射面３３２ｃから指針光軸方向Ｙ１に沿って出射されることで指針発光体３０３の全体が発光する。このとき、指針３０１、車両表示装置１００は、指針キャップ５の側壁部５ｄ等によって指針プリズム部材３１から指針幅方向Ｚ１に沿って漏れる光が遮光されることで指針光軸方向Ｙ１前面側への発光領域以外の発光領域を限定し指針発光体３０３の輪郭をシャープに見せることができる。その上で、指針３０１、車両表示装置１００は、拡散層３３による光の拡散、及び、光透過性キャップ３３２の第２出射面３３２ｃによる出射領域Ｔ３２の拡大によって指針発光体３０３における発光領域を広げることができる。この結果、指針３０１、車両表示装置１００は、適正に指針３０１の発光領域を広げることができる。
【００８１】
さらに、以上で説明した指針３０１、車両表示装置１００によれば、光透過性キャップ３３２は、光の拡散効果により第２出射面３３２ｃによる光の出射領域を広げる。したがって、指針３０１、車両表示装置１００は、光透過性キャップ３３２が構成する光学系によって当該光透過性キャップ３３２に入射し第２出射面３３２ｃから出射される光を拡散させることで第２出射面３３２ｃによる光の出射領域Ｔ３２を第１出射面３１ｅによる光の出射領域Ｔ３１より広げることができる。
【００８２】
さらに、以上で説明した指針３０１、車両表示装置１００によれば、拡散層３３は、第１出射面３１ｅに密着して設けられ、光透過性キャップ３３２は、第１出射面３１ｅから拡散層３３を介して出射された光が入射する入射面３２ｂが拡散層３３との間に隙間３２ｅを有して位置し、第２出射面３３２ｃが複数の微細凹凸部３３２ｆを有する。したがって、指針３０１、車両表示装置１００は、複数の微細凹凸部３３２ｆが形成された第２出射面３３２ｃが拡散層３３とは異なる第２拡散面を構成するので、当該第２拡散面を構成する第２出射面３３２ｃの光の拡散効果により第２出射面３３２ｃによる光の出射領域Ｔ３２を第１出射面３１ｅによる光の出射領域Ｔ３１より広げることができる。
【００８３】
なお、以上の説明では、光透過性キャップ３３２は、第２出射面３３２ｃが複数の微細凹凸部３３２ｆを有するものとして説明したがこれに限らない。図１４に示す変形例に係る車両表示装置用指針としての指針３０１Ａのように、光透過性キャップ３３２Ａは、入射面３２ｂが複数の微細凹凸部３３２ｆＡを有していてもよい。複数の微細凹凸部３３２ｆＡは、上述の微細凹凸部３３２ｆと同様の構成であり、指針延在方向Ｘ１、及び、指針幅方向Ｚ１に沿って連続して形成される。これにより、光透過性キャップ３３２Ａは、当該複数の微細凹凸部３３２ｆＡが形成された入射面３２ｂが拡散層３３とは異なる第２拡散面を構成する。この場合であっても、指針３０１Ａ、車両表示装置１００は、当該第２拡散面を構成する入射面３２ｂの光の拡散効果により第２出射面３３２ｃによる光の出射領域Ｔ３２を第１出射面３１ｅによる光の出射領域Ｔ３１より広げることができる。
【００８４】
［実施形態４］
実施形態４に係る車両表示装置用指針、及び、車両表示装置は、指針遮光体の構成が実施形態１、２、３とは異なる。
【００８５】
図１５、図１６、図１７、図１８に示す本実施形態に係る車両表示装置用指針としての指針４０１は、指針ステム２、指針キャップ５にかえて指針遮光体としての指針カバー４０５を備える点で上述の指針１と異なる。より具体的には、本実施形態の指針４０１は、指針発光体４０３と、バランサ４と、接続基部としても兼用される指針遮光体としての指針カバー４０５とを備え、回転軸１０６を介して導光された光によって指針発光体４０３の全体が発光する。バランサ４は、上述の構成と同様の構成である。
【００８６】
本実施形態の指針発光体４０３は、第１光透過体としての指針プリズム部材４３１、第２光透過体としての光透過性キャップ３２、及び、拡散層３３を有し、これらが組み合わせられることで構成される。指針プリズム部材４３１は、被支持部３１ｃ、及び、組み付け孔部３１ｆを備えない点で、上述の指針プリズム部材３１と異なり、その他の構成は、当該指針プリズム部材３１とほぼ同様の構成である。光透過性キャップ３２、及び、拡散層３３は、上述の構成と同様の構成である。
【００８７】
本実施形態の指針カバー４０５は、指針発光体４０３に装着され一部の光を遮光する遮光部材であると共に、回転軸１０６と指針発光体４０３とを接続し、指針発光体４０３を回転軸１０６に一体回転可能に支持する接続支持部材としても兼用される。指針カバー４０５は、遮光性材料によって指針延在方向Ｘ１に沿って延在して形成され、指針プリズム部材４３１を指針幅方向Ｚ１の両側から覆い指針プリズム部材４３１から指針幅方向Ｚ１に沿って漏れる光を遮光する。指針カバー４０５は、スリット部４０５ａ、回転軸接続部４０５ｂ、及び、円板遮光部４０５ｃを含んで構成され、これらが光を遮光する遮光性の樹脂材料によって一体に形成される。
【００８８】
スリット部４０５ａは、底部４０５ｄ、及び、側壁部４０５ｅを有し、底部４０５ｄ、側壁部４０５ｅによって当該指針プリズム部材４３１の本体部３１ｂを収容する中空状部４０５ｆが形成された部分である。底部４０５ｄは、指針延在方向Ｘ１に沿って延在する板状に形成された底体であり、指針光軸方向Ｙ１の一方側の面に指針発光体４０３を支持する部分である。側壁部４０５ｅは、底部４０５ｄから指針光軸方向Ｙ１の前面側に突出して延在しかつ指針延在方向Ｘ１に沿って延在して枠状に形成され、上記中空状部４０５ｆを区画する。言い換えれば、側壁部４０５ｅは、中空状部４０５ｆを囲うようにして底部４０５ｄから指針光軸方向Ｙ１に沿って立設される壁体である。また、側壁部４０５ｅは、係止爪部４０５ｇ（図１８参照）を有する。係止爪部４０５ｇは、側壁部４０５ｅにおいて指針幅方向Ｚ１に対向する各内壁面にそれぞれ１つずつ、合計２つが設けられる。各係止爪部４０５ｇは、各内壁面から突起状に形成され、指針プリズム部材４３１の導光中空部３１ｄに嵌合し係止されることで、当該指針プリズム部材４３１を中空状部４０５ｆ内に係止するものである。また、側壁部４０５ｅにおいて係止爪部４０５ｇが形成された内壁面、すなわち、指針幅方向Ｚ１に対向する各内壁面は、指針光軸方向Ｙ１の背面側から前面側に向かうにしたがって指針幅方向Ｚ１に沿った幅が徐々に広がるような傾斜のテーパ面として構成される（図１８参照）。中空状部４０５ｆは、底部４０５ｄと側壁部４０５ｅとによって区画される空間部であり、指針光軸方向Ｙ１の前面側に開口する。スリット部４０５ａは、上記中空状部４０５ｆ内に指針プリズム部材４３１における本体部３１ｂが収容された状態で、中空状部４０５ｆの開口から当該本体部３１ｂの第１出射面３１ｅ、及び、拡散層３３を指針光軸方向Ｙ１前面側に露出させる。この状態で、各係止爪部４０５ｇは、指針プリズム部材４３１の導光中空部３１ｄに嵌合し係止されることで、当該指針プリズム部材４３１を中空状部４０５ｆ内に係止する。また、側壁部４０５ｅは、指針プリズム部材４３１を指針幅方向Ｚ１の両側から覆い指針プリズム部材４３１から指針幅方向Ｚ１に沿って漏れる光を遮光すると共に当該指針プリズム部材４３１を保持する。
【００８９】
回転軸接続部４０５ｂは、回転軸１０６に接続され、当該回転軸１０６と指針発光体４０３とを接続するいわゆる袴とも呼ばれる部分である。回転軸接続部４０５ｂは、内部が中空の円筒状に形成され、スリット部４０５ａの底部４０５ｄから指針光軸方向Ｙ１に沿って突出して形成される。回転軸接続部４０５ｂは、底部４０５ｄにおいて指針発光体４０３を支持する面とは反対側に突出して形成され、内部の中空状の部分が底部４０５ｄを貫通し、指針光軸方向Ｙ１の両側に開口している（図１７、図１８等参照）。回転軸接続部４０５ｂは、内部の中空状の部分が中空状部４０５ｆの内部と連通する。回転軸接続部４０５ｂは、指針光軸方向Ｙ１の一方の端部開口に回転軸１０６が嵌合され、指針光軸方向Ｙ１の他方の端部開口に指針発光体４０３の軸部３１ａが嵌合されることで、回転軸１０６と軸部３１ａとを一体回転可能に接続する。
【００９０】
円板遮光部４０５ｃは、スリット部４０５ａと回転軸接続部４０５ｂとの接続部分に略円盤状に形成される部分である。円板遮光部４０５ｃは、文字板１０３に形成された開口１０３ａよりも大径に形成され、光源１０７から照射され当該開口１０３ａを介して漏れる光を遮光し、当該漏れ光が運転者等の目視位置に至ることを規制する。
【００９１】
上記のように構成される指針４０１は、指針プリズム部材４３１の本体部３１ｂと指針カバー４０５の底部４０５ｄとの間の所定の位置にバランサ４を介在させると共に、本体部３１ｂが側壁部４０５ｅの間に嵌り第１出射面３１ｅ、拡散層３３がスリット部４０５ａの中空状部４０５ｆの開口から露出するような位置関係で、指針カバー４０５がバランサ４と共に指針プリズム部材４３１に装着される。この場合、指針４０１は、スリット部４０５ａの中空状部４０５ｆの開口に対して指針光軸方向Ｙ１の前面側からバランサ４、及び、指針プリズム部材４３１の軸部３１ａ側が挿入されるようにして指針プリズム部材４３１とバランサ４と指針カバー４０５とが組み付けられ一体化される。このとき、指針４０１は、側壁部４０５ｅにおいて指針幅方向Ｚ１に対向する各内壁面が上記のようなテーパ面として構成されていることから、指針プリズム部材４３１を中空状部４０５ｆ内に挿入しやすい構成とすることができる。そして、指針４０１は、指針プリズム部材４３１とバランサ４と指針カバー４０５とが組み付けられた状態で、各係止爪部４０５ｇが導光中空部３１ｄに嵌合し係止されることで当該指針プリズム部材４３１が中空状部４０５ｆ内に係止されると共に、側壁部４０５ｅが指針プリズム部材４３１を指針幅方向Ｚ１の両側から覆い当該指針プリズム部材４３１を保持する。そして、指針４０１は、光透過性キャップ３２の突出縁部３２ｄが側壁部４０５ｅの端面に密着しマウントされるようにして設けられる。ここでは、光透過性キャップ３２は、例えば、接着剤を介した接着や溶着等により指針カバー４０５と一体化される。そして、指針４０１は、指針プリズム部材４３１とバランサ４と指針カバー４０５とが組み付けられた状態で、指針プリズム部材４３１が指針カバー４０５の底部４０５ｄ上に支持され、軸部３１ａが指針カバー４０５の回転軸接続部４０５ｂに嵌合し回転軸１０６と一体回転可能に接続される。
【００９２】
以上で説明した指針４０１、車両表示装置１００は、指針発光体４０３において、指針プリズム部材４３１に入射した光が第１出射面３１ｅから指針光軸方向Ｙ１に沿って出射され、光透過性キャップ３２に入射し第２出射面３２ｃから指針光軸方向Ｙ１に沿って出射されることで指針発光体４０３の全体が発光する。このとき、指針４０１、車両表示装置１００は、指針カバー４０５の側壁部４０５ｅ等によって指針プリズム部材４３１から指針幅方向Ｚ１に沿って漏れる光が遮光されることで指針光軸方向Ｙ１前面側への発光領域以外の発光領域を限定し指針発光体４０３の輪郭をシャープに見せることができる。その上で、指針４０１、車両表示装置１００は、拡散層３３による光の拡散、及び、光透過性キャップ３２の第２出射面３２ｃによる出射領域Ｔ１２（図７等参照）の拡大によって指針発光体４０３における発光領域を広げることができる。この結果、指針４０１、車両表示装置１００は、適正に指針４０１の発光領域を広げることができる。
【００９３】
さらに、以上で説明した指針４０１、車両表示装置１００によれば、指針カバー４０５は、指針発光体４０３を指針幅方向Ｚ１の両側から覆い当該指針発光体４０３を保持する側壁部４０５ｅ、及び、回転駆動可能な回転軸１０６と接続される回転軸接続部４０５ｂを有し、側壁部４０５ｅと回転軸接続部４０５ｂとが一体で形成される。したがって、指針４０１、車両表示装置１００は、指針発光体４０３を保持、遮光するための構成と、指針発光体４０３と回転軸１０６とを接続するための構成とを指針カバー４０５によって兼用することができるので、構成部品点数を抑制することができ、例えば、製造コストを抑制することができる。また、指針４０１、車両表示装置１００は、例えば、上述した被支持部３１ｃ、組み付け孔部３１ｆ等の構成を備えなくてもよいことから、外形を小型化することができ、例えば、円板遮光部４０５ｃの外径を相対的に小径にすることがきるので、当該円板遮光部４０５ｃをより目立たなくすることができ、指針発光体４０３の輪郭のシャープ感を向上することができる。
【００９４】
また、以上で説明した指針４０１は、光透過性キャップ３２が指針カバー４０５の側壁部４０５ｅにおける第１出射面３１ｅによる光の出射側の端面を覆うように設けられることから、指針プリズム部材４３１と側壁部４０５ｅとの隙間をより視認し難くし目立たなくすることができる。
【００９５】
［実施形態５］
実施形態５に係る車両表示装置用指針、及び、車両表示装置は、指針遮光体及び接続基部の構成が実施形態１、２、３、４とは異なる。
【００９６】
図１９、図２０、図２１、図２２、図２３に示す本実施形態に係る車両表示装置用指針としての指針５０１は、指針ステム２、指針キャップ５にかえて接続基部としての指針ステム５０２、指針遮光体としての指針キャップ５０５を備える点で上述の指針１と異なる。その他の構成は、当該指針１とほぼ同様の構成である。
【００９７】
本実施形態の指針ステム５０２は、回転軸１０６と指針発光体３とを接続し、指針発光体３を回転軸１０６に一体回転可能に支持する接続支持部材である。指針ステム５０２は、基部５２１、円筒軸部２２、及び、バランサ支持部２１ｂを含んで構成され、これらが光を遮光する遮光性の樹脂材料によって一体に形成される。
【００９８】
基部５２１は、指針延在方向Ｘ１に沿って延在する板状に形成され指針光軸方向Ｙ１の一方側の面に指針発光体３を支持する部分である。基部５２１は、円筒軸部２２が接続される部分が略円形板状に形成された円形板部２１ｇを有し、当該円形板部２１ｇに組み付け孔部２１ａが形成される（図２０等参照）。組み付け孔部２１ａは、指針キャップ５０５が組み付けられる部分であり、ここでは、２つ設けられる。基部５２１は、指針プリズム部材３１の本体部３１ｂを支持するプリズム支持部２１ｃが複数、例えば、２つ設けられる。各プリズム支持部２１ｃは、円形板部２１ｇよりも指針５０１の指針延在方向Ｘ１の先端側に設けられ、基部５２１の指針光軸方向Ｙ１の前面側に突出して形成される。各プリズム支持部２１ｃは、指針プリズム部材３１の本体部３１ｂの突出量が多い側を支持する。
【００９９】
バランサ支持部２１ｂは、バランサ４を支持する部分であり、円形板部２１ｇの指針延在方向Ｘ１の後端側に連結部２１ｈを介して設けられる。バランサ支持部２１ｂは、底部２１ｅと、側壁部２１ｄとを有する。底部２１ｅは、指針延在方向Ｘ１に沿って延在し板状に形成される。底部２１ｅは、バランサ４が載置される。側壁部２１ｄは、底部２１ｅから指針光軸方向Ｙ１の前面側に突出して延在しかつ指針延在方向Ｘ１に沿って延在して枠状に形成され、中空状部２１ｆを区画する。言い換えれば、側壁部２１ｄは、中空状部２１ｆを囲うようにして指針光軸方向Ｙ１に沿って立設される壁体である。中空状部２１ｆは、バランサ４の一部を収容する。中空状部２１ｆは、例えば、バランサ４の指針光軸方向Ｙ１の端部側を収容する。
【０１００】
指針キャップ５０５は、遮光性材料によって指針延在方向Ｘ１に沿って延在して形成され、指針プリズム部材３１を指針幅方向Ｚ１の両側から覆い指針プリズム部材３１から指針幅方向Ｚ１に沿って漏れる光を遮光する。また、指針キャップ５０５は、バランサ支持部２１ｂに一部が収容されたバランサ４に指針光軸方向Ｙ１の前面側から覆い被さり、当該バランサ４の露出した部分を覆う。指針キャップ５０５は、軸部カバー部５ａ、スリット部５０５ｂを含んで構成され、これらが光を遮光する遮光性の樹脂材料によって一体に形成される。
【０１０１】
スリット部５０５ｂは、側壁部５０５ｄを有し、当該側壁部５０５ｄによって指針プリズム部材３１の本体部３１ｂ、及び、バランサ４の露出部を収容する中空状部５０５ｅが形成された部分である。側壁部５０５ｄは、軸部カバー部５ａから指針光軸方向Ｙ１の前面側に突出して延在しかつ指針延在方向Ｘ１に沿って延在して枠状に形成される。側壁部５０５ｄは、指針延在方向Ｘ１において軸部カバー部５ａよりも前方側に設けられる前方壁部５０５ｆ、及び、指針延在方向Ｘ１において軸部カバー部５ａよりも後方側に設けられる後方壁部５０５ｇを含んで構成される。前方壁部５０５ｆは、指針延在方向Ｘ１において指針プリズム部材３１の本体部３１ｂの突出量が多い側を囲う部分である。後方壁部５０５ｇは、指針延在方向Ｘ１において指針プリズム部材３１の本体部３１ｂの突出量が少ない側を囲うと共にバランサ４の露出部分を囲う部分である。
【０１０２】
後方壁部５０５ｇは、指針キャップ５０５が指針ステム５０２に装着された状態で、指針光軸方向Ｙ１の指針ステム５０２側の端部５０５ｈが、上記バランサ支持部２１ｂの側壁部２１ｄの指針光軸方向Ｙ１の指針キャップ５０５側の端部２１ｉに当接する（図２３参照）。すなわち、後方壁部５０５ｇは、指針キャップ５０５が指針ステム５０２に装着された状態で、バランサ支持部２１ｂに被らずにバランサ４の露出部分を指針幅方向Ｚ１の両側から囲う。言い換えれば、後方壁部５０５ｇは、指針キャップ５０５が指針ステム５０２に装着された状態で、バランサ支持部２１ｂの側壁部２１ｄに対し指針幅方向Ｚ１にオーバーラップせずにバランサ４の露出部分を指針幅方向Ｚ１の両側から囲う。この構成により、指針５０１は、従来のように後方壁部５０５ｇをバランサ支持部２１ｂに被らせる場合と比較して、指針キャップ５０５の指針幅方向Ｚ１の幅サイズを小さくすることができ、意匠性を向上させることができる。後方壁部５０５ｇの指針幅方向Ｚ１の間隔Ｗ１は、バランサ支持部２１ｂの側壁部２１ｄの間隔Ｗ２よりも大きい（図２３参照）。つまり、指針キャップ５０５の後方壁部５０５ｇは、運転者等の目視位置から視認した場合に、バランサ支持部２１ｂの側壁部２１ｄを覆う。この構成により、指針５０１は、運転者等の目視位置から視認した場合に、指針キャップ５０５の後方壁部５０５ｇとバランサ支持部２１ｂの側壁部２１ｄとの境界が目立つことを抑制することができ、意匠性を向上することができる。なお、指針５０１は、指針キャップ５０５の後方壁部５０５ｇの色とバランサ支持部２１ｂの側壁部２１ｄの色とを同色とすることで、これらの境界が目立つことをより抑制することができる。
【０１０３】
側壁部５０５ｄは、上記中空状部５０５ｅを区画する。中空状部５０５ｅは、軸部カバー部５ａの内部と連通するようにして形成され、指針光軸方向Ｙ１の前面側に開口する。スリット部５０５ｂは、軸部カバー部５ａが指針プリズム部材３１に装着された状態で、上記中空状部５０５ｅ内に指針プリズム部材３１における本体部３１ｂが収容され、上記開口から当該本体部３１ｂの第１出射面３１ｅ、及び、拡散層３３を指針光軸方向Ｙ１前面側に露出させる。スリット部５０５ｂは、中空状部５０５ｅ内に本体部３１ｂが収容された状態で、側壁部５０５ｄが少なくとも指針プリズム部材３１の本体部３１ｂを指針幅方向Ｚ１の両側から挟み込んで覆い、指針プリズム部材３１の本体部３１ｂから指針幅方向Ｚ１に沿って漏れる光、言い換えれば、第１出射面３１ｅ以外から出射される光を遮光する。
【０１０４】
以上で説明した指針５０１、車両表示装置１００は、指針発光体３を回転駆動可能な回転軸１０６に一体回転可能に支持する指針ステム５０２を備える。この指針ステム５０２は、指針発光体３の指針延在方向Ｘ１の重量バランスを調整するバランサ４を支持するバランサ支持部２１ｂを備える。バランサ支持部２１ｂは、底部２１ｅと、側壁部２１ｄとを有する。底部２１ｅは、指針延在方向Ｘ１に沿って延在し板状に形成される。側壁部２１ｄは、底部２１ｅから指針光軸方向Ｙ１の前面側に突出して延在しかつ指針延在方向Ｘ１に沿って延在して枠状に形成される。指針キャップ５０５は、指針光軸方向Ｙ１の指針ステム５０２側の端部５０５ｈが、バランサ支持部２１ｂの側壁部２１ｄの指針光軸方向Ｙ１の指針キャップ５０５側の端部２１ｉに当接する。
【０１０５】
この構成により、指針５０１、車両表示装置１００は、バランサ支持部２１ｂと指針キャップ５０５とによりバランサ４を支持して覆い隠すことができる。指針５０１等は、従来のように指針キャップ５０５をバランサ支持部２１ｂの側壁部２１ｄに被らせる場合と比較して、指針キャップ５０５の指針幅方向Ｚ１の幅サイズを小さくすることができ、意匠性を向上させることができる。すなわち、指針５０１等は、指針キャップ５０５の側壁部５０５ｄの端部５０５ｈがバランサ支持部２１ｂの側壁部２１ｄの端部２１ｉに当接するので、指針キャップ５０５の側壁部５０５ｄが指針幅方向Ｚ１に広がることを抑制することができる。この結果、指針５０１等は、指針キャップ５０５の指針幅方向Ｚ１の幅サイズを相対的に細くすることが可能となるのでスリムに見せることができ、意匠性を向上させることができる。
【０１０６】
次に、光透過性キャップ３２の発光例について説明する。光透過性キャップ３２は、例えば、図２４、図２５に示すように、第２出射面３２ｃの全体に鏡面加工が施された鏡面部Ｅ１を有している。この構成により、光透過性キャップ３２は、拡散層３３から入射面３２ｂに入射した光が、第２出射面３２ｃから指針光軸方向Ｙ１に沿って前面側に出射されて発光する。この鏡面部Ｅ１の発光により、光透過性キャップ３２は、図２４に示すように、第２出射面３２ｃの鏡面部Ｅ１により輪郭が鮮明な質感で発光することができる。
【０１０７】
変形例に係る光透過性キャップ５３２は、図２６、図２７に示すように、第２出射面３２ｃに鏡面加工が施された鏡面部Ｅ２、及び、シボ加工が施されたシボ部Ｅ３を有している。光透過性キャップ５３２は、第２出射面３２ｃの指針光軸方向Ｙ１の頂上部に鏡面部Ｅ２が指針延在方向Ｘ１に沿って線状に設けられ、当該線状の鏡面部Ｅ２の両側にシボ部Ｅ３が指針延在方向Ｘ１に沿って線状に設けられる。すなわち、光透過性キャップ５３２は、指針光軸方向Ｙ１、及び、指針幅方向Ｚ１に沿った断面視（図２７参照）にて鏡面部Ｅ２が第２出射面３２ｃの中央部に設けられ、シボ部Ｅ３が鏡面部Ｅ２の両側に設けられる。
【０１０８】
この構成により、光透過性キャップ５３２は、拡散層３３から入射面３２ｂに入射した光が、第２出射面３２ｃの鏡面部Ｅ２から指針光軸方向Ｙ１に沿って前面側に出射されて発光する。さらに、光透過性キャップ５３２は、拡散層３３から入射面３２ｂに入射した光が、第２出射面３２ｃの各シボ部Ｅ３から指針光軸方向Ｙ１に沿って前面側に出射されて発光する。この各シボ部Ｅ３の発光により、光透過性キャップ５３２は、図２６に示すように、第２出射面３２ｃの輪郭がぼやけた質感で発光することができ、光透過性キャップ３２とは異なる発光による演出で意匠を実現できる。光透過性キャップ５３２は、さらに、各シボ部Ｅ３の発光により、指針発光体３の輝度ムラを緩和することができる。
【０１０９】
変形例に係る光透過性キャップ５３２ａは、図２８、図２９に示すように、第２出射面３２ｃの全体にシボ加工が施されたシボ部Ｅ４を有している。この構成により、光透過性キャップ５３２ａは、拡散層３３から入射面３２ｂに入射した光が、第２出射面３２ｃのシボ部Ｅ４から指針光軸方向Ｙ１に沿って前面側に出射されて発光する。このシボ部Ｅ４の発光により、光透過性キャップ５３２ａは、図２８に示すように、第２出射面３２ｃの全体がぼやけた質感で発光することができ、光透過性キャップ３２、５３２とは異なる発光による演出で意匠を実現できる。光透過性キャップ５３２ａは、さらに、各シボ部Ｅ４の発光により、指針発光体３の輝度ムラを緩和することができる。
【０１１０】
なお、上述した本発明の実施形態に係る車両表示装置用指針、及び、車両表示装置は、上述した実施形態に限定されず、特許請求の範囲に記載された範囲で種々の変更が可能である。本実施形態に係る車両表示装置用指針、及び、車両表示装置は、以上で説明した各実施形態、変形例の構成要素を適宜組み合わせることで構成してもよい。
【０１１１】
以上の説明では、指針１、１Ａ、２０１、２０１Ａ、３０１、３０１Ａ、４０１、５０１は、モータ１０４のロータ軸を構成する回転軸１０６が光源１０７からの光を指針発光体３、２０３、３０３、４０３に導光する導光軸として機能するものとして説明したがこれに限らず、回転軸１０６を介さず他の位置に配置された光源から指針発光体３、２０３、３０３、４０３に光が入射する構成であってもよい。
【０１１２】
また、以上の説明では、光透過性キャップ３２、２３２、２３２Ａ、３３２、３３２Ａが指針キャップ５、５０５、指針カバー４０５の側壁部５ｄ、５０５ｄ、側壁部４０５ｅにおける第１出射面３１ｅ、２３１ｅ、２３１ｅＡによる光の出射側の端面を覆うように設けられるものとして説明したがこれに限らず、当該端面にかからないような位置関係で設けられてもよい。
【０１１３】
［参考例］
なお、車両表示装置用指針を発光させる技術に関する参考例として、図３０、図３１、図３２、図３３、図３４に示す車両表示装置用指針としての指針６０１、７０１がある。以下、図３０、図３１、図３２、図３３、図３４を参照して当該参考例に係る指針６０１、７０１について説明する。
【０１１４】
図３０、図３１、図３２に係る指針６０１は、当該指針６０１からの間接光によって文字板１０３を照らすことで、夜間でも当該指針６０１を認識し易くするように構成されたものである。指針６０１は、指針発光体６０２と、回転軸接続部６０３とを備え、回転軸１０６を介して導光された光によって指針発光体６０２が発光する。
【０１１５】
指針発光体６０２は、回転軸１０６を介して導光された光によって発光する発光部材であり、指針本体を構成する。指針発光体６０２は、軸部６０４、及び、本体部６０５を含んで構成され、これらが樹脂材料によって一体に形成される。
【０１１６】
軸部６０４は、指針光軸方向Ｙ１に沿って柱状に形成される部分であり、回転軸接続部６０３を介して回転軸１０６と一体回転可能に接続される。軸部６０４は、当該回転軸１０６を介して導光された光が指針光軸方向Ｙ１に沿って入射する入射部として機能する。
【０１１７】
本体部６０５は、軸部６０４の端部から指針延在方向Ｘ１に沿って延在して形成される部分である。本体部６０５は、軸部６０４において回転軸１０６と接続される側の端部と反対側の端部に設けられる。本体部６０５は、軸部６０４の端部から指針延在方向Ｘ１の両側に突出するように形成される。
【０１１８】
そして、本参考例の本体部６０５は、不透明部６０５ａ、及び、透明部６０５ｂを含んで構成され、これらが一体に形成される。不透明部６０５ａ、及び、透明部６０５ｂは、共に指針延在方向Ｘ１に沿って延在する。不透明部６０５ａは、直線棒状に形成されると共に、指針光軸方向Ｙ１の背面側の面、すなわち、軸部６０４側の面に凹状部６０５ｃが形成される。凹状部６０５ｃは、指針光軸方向Ｙ１の背面側、すなわち、軸部６０４側に開口すると共に、不透明部６０５ａにおいて指針延在方向Ｘ１に沿って一方の端から他方の端まで延在している。不透明部６０５ａは、凹状部６０５ｃ内において指針光軸方向Ｙ１に対して軸部６０４と対向する位置に反射突起部６０５ｄが形成されると共に、凹状部６０５ｃの底部に反射拡散部６０５ｅが形成される。反射突起部６０５ｄは、指針延在方向Ｘ１、及び、指針光軸方向Ｙ１に沿った断面視（図３０参照）にて（言い換えれば、指針幅方向Ｚ１に視て）、略扇三角形状に形成される。さらに言えば、反射突起部６０５ｄは、当該断面視にて、指針光軸方向Ｙ１の軸部６０４側が先細りの形状であり、指針光軸方向Ｙ１に沿って軸部６０４から離間するにしたがって指針延在方向Ｘ１に沿った幅が徐々に広くなるような形状に形成される。反射突起部６０５ｄは、当該反射突起部６０５ｄを形成する面が軸部６０４に入射した光を指針延在方向Ｘ１に反射し拡散させて本体部６０５の全体に導光する反射導光面として機能する。反射拡散部６０５ｅは、凹状部６０５ｃの底部における指針光軸方向Ｙ１の背面側の面、すなわち、軸部６０４側の面、さらに言えば、後述の透明部６０５ｂとの境界面に、反射突起部６０５ｄからの光を反射し拡散させる複数の微細凹凸部６０５ｆが形成される。透明部６０５ｂは、凹状部６０５ｃ内に密実に設けられ、指針延在方向Ｘ１に沿って凹状部６０５ｃの一方の端から他方の端まで延在している。
【０１１９】
そして、指針発光体６０２は、本体部６０５の不透明部６０５ａが光を遮光する遮光性の樹脂材料によって形成される一方、軸部６０４、及び、本体部６０５の透明部６０５ｂが光を透過する光透過性の樹脂材料によって形成され、これらが二色成形によって一体で形成される。
【０１２０】
回転軸接続部６０３は、回転軸１０６に接続され、当該回転軸１０６と指針発光体６０２とを接続するいわゆる袴とも呼ばれる部分である。回転軸接続部６０３は、内部が中空の円筒状に形成され、指針光軸方向Ｙ１の一方の端部開口に回転軸１０６が嵌合され、指針光軸方向Ｙ１の他方の端部開口に指針発光体６０２の軸部６０４が嵌合されることで、回転軸１０６と軸部６０４とを一体回転可能に接続する。
【０１２１】
上記のように構成される指針６０１は、光源１０７から回転軸１０６を介して指針発光体６０２の軸部６０４に入射した光が本体部６０５の透明部６０５ｂ内に導光され、不透明部６０５ａの反射突起部６０５ｄによって指針延在方向Ｘ１に反射、拡散され指針延在方向Ｘ１に沿って透明部６０５ｂの全体に導光される。そして、指針６０１は、透明部６０５ｂの全体に導光された光が不透明部６０５ａの反射拡散部６０５ｅに形成された複数の微細凹凸部６０５ｆで指針光軸方向Ｙ１の背面側、すなわち、文字板１０３側に反射、拡散され、当該光によって文字板１０３における指針６０１近傍の領域を間接的に照らす（図３０、図３２等参照）。この結果、本参考例に係る指針６０１は、当該指針６０１からの間接光によって文字板１０３における指針６０１近傍の領域を照らすことができるので、例えば、夜間でも当該指針６０１の輪郭を浮かび上がらせ当該指針６０１を認識し易くすることができる。
【０１２２】
図３３、図３４に係る指針７０１は、当該指針７０１の外表面近傍が全体的に発光することで、夜間でも当該指針７０１を認識し易くするように構成されたものである。指針７０１は、指針発光体７０２と、回転軸接続部７０３とを備え、回転軸１０６を介して導光された光によって指針発光体７０２が発光する。
【０１２３】
指針発光体７０２は、回転軸１０６を介して導光された光によって発光する発光部材であり、指針本体を構成する。指針発光体７０２は、軸部７０４、及び、本体部７０５を含んで構成され、これらが樹脂材料によって一体に形成される。
【０１２４】
軸部７０４は、指針光軸方向Ｙ１に沿って柱状に形成される部分であり、回転軸接続部７０３を介して回転軸１０６と一体回転可能に接続される。軸部７０４は、当該回転軸１０６を介して導光された光が指針光軸方向Ｙ１に沿って入射する入射部として機能する。
【０１２５】
本体部７０５は、軸部７０４の端部から指針延在方向Ｘ１に沿って延在して形成される部分である。本体部７０５は、軸部７０４において回転軸１０６と接続される側の端部と反対側の端部に設けられる。本体部７０５は、軸部７０４の端部から指針延在方向Ｘ１の両側に突出するように形成される。
【０１２６】
そして、本参考例の本体部７０５は、透明部７０５ａ、及び、不透明部７０５ｂを含んで構成され、これらが一体に形成される。透明部７０５ａ、及び、不透明部７０５ｂは、共に指針延在方向Ｘ１に沿って延在する。透明部７０５ａは、略円柱棒状に形成され、指針延在方向Ｘ１に沿って延在する。不透明部７０５ｂは、透明部７０５ａの内部に内蔵される。つまり、透明部７０５ａは、不透明部７０５ｂの全周を取り囲むようにして覆う。不透明部７０５ｂは、指針光軸方向Ｙ１が板厚方向となる略矩形板状に形成され、指針延在方向Ｘ１に沿って透明部７０５ａの一方の端から他方の端まで延在している。不透明部７０５ｂは、指針光軸方向Ｙ１に対して軸部７０４と対向する位置に反射突起部７０５ｃが形成されると共に、指針光軸方向Ｙ１の前面側の面、すなわち、軸部７０４側とは反対側の面に反射拡散部７０５ｄが形成される。反射突起部７０５ｃは、指針延在方向Ｘ１、及び、指針光軸方向Ｙ１に沿った断面視（図３３参照）にて（言い換えれば、指針幅方向Ｚ１に視て）、略扇三角形状に形成される。さらに言えば、反射突起部７０５ｃは、当該断面視にて、指針光軸方向Ｙ１の軸部７０４側が先細りの形状であり、指針光軸方向Ｙ１に沿って軸部７０４から離間するにしたがって指針延在方向Ｘ１に沿った幅が徐々に広くなるような形状に形成される。反射突起部７０５ｃは、当該反射突起部７０５ｃを形成する面が軸部７０４に入射した光を指針延在方向Ｘ１に反射し拡散させて本体部７０５の全体に導光する反射導光面として機能する。反射拡散部７０５ｄは、透明部７０５ａとの境界面であって指針光軸方向Ｙ１の前面側の面に、反射突起部７０５ｃからの光を反射し拡散させる複数の微細凹凸部７０５ｅが形成される。
【０１２７】
そして、指針発光体７０２は、軸部７０４、及び、本体部７０５の透明部７０５ａが光を透過する光透過性の樹脂材料によって形成される一方、本体部７０５の不透明部７０５ｂが光を遮光する遮光性の樹脂材料によって形成され、これらが二色成形によって一体で形成される。
【０１２８】
回転軸接続部７０３は、回転軸１０６に接続され、当該回転軸１０６と指針発光体７０２とを接続するいわゆる袴とも呼ばれる部分である。回転軸接続部７０３は、内部が中空の円筒状に形成され、指針光軸方向Ｙ１の一方の端部開口に回転軸１０６が嵌合され、指針光軸方向Ｙ１の他方の端部開口に指針発光体７０２の軸部７０４が嵌合されることで、回転軸１０６と軸部７０４とを一体回転可能に接続する。
【０１２９】
上記のように構成される指針７０１は、光源１０７から回転軸１０６を介して指針発光体７０２の軸部７０４に入射した光が本体部７０５の透明部７０５ａ内に導光され、不透明部７０５ｂの反射突起部７０５ｃによって指針延在方向Ｘ１に反射、拡散され指針延在方向Ｘ１に沿って透明部７０５ａの全体に導光される。そして、指針７０１は、透明部７０５ａの全体に導光された光のうちの一部が当該透明部７０５ａの外面から出射されることで透明部７０５ａの全体が発光する。また、指針７０１は、透明部７０５ａの全体に導光された光のうちの他の一部が透明部７０５ａの外面（界面）で反射し当該透明部７０５ａの内部を伝播して不透明部７０５ｂの指針光軸方向Ｙ１の前面側の面に形成された反射拡散部７０５ｄに至り、当該反射拡散部７０５ｄに形成された複数の微細凹凸部７０５ｅで指針光軸方向Ｙ１の前側、すなわち、運転者等の目視位置側に反射、拡散され、他の部位よりも高い輝度で発光する（図３３等参照）。この結果、本参考例に係る指針７０１は、透明部７０５ａの内部を伝播して不透明部７０５ｂの反射拡散部７０５ｄに至る間接光によって指針発光体７０２の中心部に位置する不透明部７０５ｂの輝度が相対的に高くなるように発光させることができるので、例えば、夜間でも当該指針７０１を認識し易くすることができる。
【０１３０】
なお、上述した参考例に係る指針６０１、指針７０１は、さらに、紫外線を照射することで発光する透明蛍光材料を適用してもよい。この場合、指針６０１は、光源１０７が紫外線を照射する紫外線ＬＥＤ素子によって構成され、文字板１０３の表面に透明蛍光材料が塗布されることで、当該指針６０１からの紫外線光によって文字板１０３を照らし発光させることができ、当該指針６０１を認識し易くすることができる。一方、指針７０１は、光源１０７が紫外線を照射する紫外線ＬＥＤ素子によって構成され、指針発光体７０２の軸部７０４、及び、本体部７０５の透明部７０５ａが透明蛍光材料によって形成されることで、紫外線光によって透明部７０５ａの全体を発光させ、当該指針７０１を認識し易くすることができる。
【符号の説明】
【０１３１】
１、１Ａ、２０１、２０１Ａ、３０１、３０１Ａ、４０１、５０１    指針（車両表示装置用指針）
２、５０２    指針ステム（接続基部）
３、２０３、３０３、４０３    指針発光体
４    バランサ
５、４０５、５０５    指針キャップ（指針遮光体）
５ｄ、４０５ｅ    側壁部
２１ｂ    バランサ支持部
２１ｄ    側壁部
２１ｅ    底部
２１ｉ、５０５ｈ    端部
３１、２３１、２３１Ａ、４３１    指針プリズム部材（第１光透過体）
３１ｅ、２３１ｅ、２３１ｅＡ    第１出射面
３２、２３２、２３２Ａ、３３２、３３２Ａ    光透過性キャップ（第２光透過体）
３２ｂ、２３２ｂ、２３２ｂＡ    入射面
３２ｃ、３２ｃＡ、２３２ｃ、３３２ｃ    第２出射面
３２ｅ    隙間
３３、２３３    拡散層
１００    車両表示装置
１０２    筐体
１０４    モータ（駆動部）
１０６    回転軸
１０７    光源
３３２ｆ、３３２ｆＡ    微細凹凸部
４０５    指針カバー（指針遮光体）
４０５ｂ    回転軸接続部
Ｔ１１、Ｔ１２、Ｔ２１、Ｔ２２、Ｔ３１、Ｔ３２    出射領域
Ｘ１    指針延在方向
Ｙ１    指針光軸方向
Ｚ１    指針幅方向
【図１】
2017223665.tif 000003
【図２】
2017223665.tif 000004
【図３】
2017223665.tif 000005
【図４】
2017223665.tif 000006
【図５】
2017223665.tif 000007
【図６】
2017223665.tif 000008
【図７】
2017223665.tif 000009
【図８】
2017223665.tif 000010
【図９】
2017223665.tif 000011
【図１０】
2017223665.tif 000012
【図１１】
2017223665.tif 000013
【図１２】
2017223665.tif 000014
【図１３】
2017223665.tif 000015
【図１４】
2017223665.tif 000016
【図１５】
2017223665.tif 000017
【図１６】
2017223665.tif 000018
【図１７】
2017223665.tif 000019
【図１８】
2017223665.tif 000020
【図１９】
2017223665.tif 000021
【図２０】
2017223665.tif 000022
【図２１】
2017223665.tif 000023
【図２２】
2017223665.tif 000024
【図２３】
2017223665.tif 000025
【図２４】
2017223665.tif 000026
【図２５】
2017223665.tif 000027
【図２６】
2017223665.tif 000028
【図２７】
2017223665.tif 000029
【図２８】
2017223665.tif 000030
【図２９】
2017223665.tif 000031
【図３０】
2017223665.tif 000032
【図３１】
2017223665.tif 000033
【図３２】
2017223665.tif 000034
【図３３】
2017223665.tif 000035
【図３４】
2017223665.tif 000036